(57)【要約】      （修正有）【課題】ＦＤＤとＴＤＤのＣＡをサポートする通信システムにおける基地局による方法を提供する。【解決手段】方法、プライマリセルのダウンリンクサブフレーム又はスペシャルサブフレームである第１のサブフレームで、セカンダリセルにおける第１のサブフレームのダウンリンク物理チャネルに対応するＨＡＲＱフィードバックを受信する第２のタイミングは、ＴＤＤのための第１のタイミングと同一であり、プライマリセルにおいてアップリンクサブフレームである第２のサブフレームで、セカンダリセルにおける第２のサブフレームのダウンリンク物理チャネルに対応するＨＡＲＱフィードバックを受信する第２のタイミングは、プライマリセルにおける、第２のサブフレームに最も近いダウンリンクサブフレーム又はスペシャルサブフレームのダウンリンク物理チャネルに対応するＨＡＲＱフィードバックを受信する、ＴＤＤのための第３のタイミングと同一である。【選択図】図７
2020099081.tif 000002
【特許請求の範囲】
【請求項１】
プライマリセルおよびセカンダリセルのＣＡ（Ｃａｒｒｉｅｒ Ａｇｇｒｅｇａｔｉｏｎ）をサポートする通信システムにおける基地局による方法であって、
前記セカンダリセルを介して、ダウンリンク物理チャネルを送信し、
前記ダウンリンク物理チャネルに対応するＨＡＲＱ（Ｈｙｂｒｉｄ Ａｕｔｏｍａｔｉｃ Ｒｅｐｅａｔ Ｒｅｑｕｅｓｔ）フィードバックをＵＥ（Ｕｓｅｒ  Ｅｑｕｉｐｍｅｎｔ）から受信する、ことを含み、
前記セカンダリセルのスケジューリングのために、前記ＵＥが他セルの制御チャネルを参照するよう構成されている場合、かつ、前記プライマリセルがＴＤＤ（Ｔｉｍｅ Ｄｉｖｉｓｉｏｎａｌ Ｄｕｐｌｅｘ）として設定され且つ前記セカンダリセルがＦＤＤ（Ｆｒｅｑｕｅｎｃｙ Ｄｉｖｉｓｉｏｎａｌ Ｄｕｐｌｅｘ）として設定される場合、
前記セカンダリセルのサブフレームにおけるダウンリンク物理チャネルに対応するＨＡＲＱフィードバックを受信するタイミングは、前記プライマリセルの前記サブフレームにおけるダウンリンク物理チャネルに対応するＨＡＲＱフィードバックを受信するＴＤＤのタイミングと同一であり、
前記セカンダリセルのスケジューリングのために、前記ＵＥが他セルの制御チャネルを参照するよう構成されていない場合、且つ、前記プライマリセルがＴＤＤとして設定され且つ前記セカンダリセルがＦＤＤとして設定される場合、
第１のサブフレームが、前記プライマリセルにおいてダウンリンクサブフレーム又はスペシャルサブフレームである場合、前記セカンダリセルの前記第１のサブフレームにおけるダウンリンク物理チャネルに対応するＨＡＲＱフィードバックを受信するタイミングは、前記プライマリセルの前記第１のサブフレームにおけるダウンリンク物理チャネルに対応するＨＡＲＱフィードバックを受信するＴＤＤのタイミングと同一であり、
第２のサブフレームが、前記プライマリセルにおいてアップリンクサブフレームである場合、前記セカンダリセルの前記第２のサブフレームにおけるダウンリンク物理チャネルに対応するＨＡＲＱフィードバックを受信するタイミングは、前記プライマリセルの前記第２のサブフレームに最も近いダウンリンクサブフレーム又はスペシャルサブフレームのダウンリンク物理チャネルに対応するＨＡＲＱフィードバックを受信する、ＴＤＤのタイミングと同一である、
方法。
【請求項２】
前記ダウンリンク物理チャネルに対応するＨＡＲＱフィードバックを受信する前記プライマリセルのアップリンクサブフレーム１つあたりに対する、前記セカンダリセルのダウンリンク物理チャネルを送信するダウンリンクサブフレームの数は、
ｃｅｉｌ（前記セカンダリセルのダウンリンク物理チャネルを送信するダウンリンクサブフレームの数を、前記ダウンリンク物理チャネルに対応するＨＡＲＱフィードバックを受信する前記プライマリセルのアップリンクサブフレームの数で割った数）、又は
ｆｌｏｏｒ（前記セカンダリセルのダウンリンク物理チャネルを送信するダウンリンクサブフレームの数を、前記ダウンリンク物理チャネルに対応するＨＡＲＱフィードバックを受信する前記プライマリセルのアップリンクサブフレームの数で割った数）のいずれかである、
ことを特徴とした請求項１に記載の方法。
【請求項３】
前記プライマリセルがＦＤＤとして設定される場合、前記ダウンリンク物理チャネルに対応するＨＡＲＱフィードバックを受信するタイミングは、ＦＤＤのためのタイミングと同一である、
ことを特徴とした請求項１又は２に記載の方法。
【請求項４】
前記ＨＡＲＱフィードバックを送信するためのＰＵＣＣＨ（Ｐｈｙｓｉｃａｌ  Ｕｐｌｉｎｋ  Ｃｏｎｔｒｏｌ  ＣＨａｎｎｅｌ）は、前記プライマリセルのみで送信される、
ことを特徴とした請求項１乃至３のいずれかに記載の方法。
【請求項５】
前記ダウンリンク物理チャネルをサブフレームｎ−ｋで送信し、前記ＨＡＲＱフィードバックをサブフレームｎで受信し、
前記プライマリセルがＴＤＤ  Ｃｏｎｆｉｇｕｒａｔｉｏｎ  ３に設定されている場合、ｎ＝２のとき、ｋ＝１１，１０，９，８，７，６であり、
ｎ＝３のとき、ｋ＝６，５であり、
ｎ＝４のとき、ｋ＝５，４である、
ことを特徴とした請求項１乃至４のいずれかに記載の方法。
【請求項６】
プライマリセルおよびセカンダリセルのＣＡ（Ｃａｒｒｉｅｒ Ａｇｇｒｅｇａｔｉｏｎ）をサポートする通信システムにおけるＵＥ（Ｕｓｅｒ  Ｅｑｕｉｐｍｅｎｔ）による方法であって、
前記セカンダリセルを介して、ダウンリンク物理チャネルを受信し、
前記ダウンリンク物理チャネルに対応するＨＡＲＱ（Ｈｙｂｒｉｄ Ａｕｔｏｍａｔｉｃ Ｒｅｐｅａｔ Ｒｅｑｕｅｓｔ）フィードバックを基地局へ送信する、ことを含み、
前記セカンダリセルのスケジューリングのために、前記ＵＥが他セルの制御チャネルを参照するよう構成されている場合、かつ、前記プライマリセルがＴＤＤ（Ｔｉｍｅ Ｄｉｖｉｓｉｏｎａｌ Ｄｕｐｌｅｘ）として設定され且つ前記セカンダリセルがＦＤＤ（Ｆｒｅｑｕｅｎｃｙ Ｄｉｖｉｓｉｏｎａｌ Ｄｕｐｌｅｘ）として設定される場合、
前記セカンダリセルのサブフレームにおけるダウンリンク物理チャネルに対応するＨＡＲＱフィードバックを送信するタイミングは、前記プライマリセルの前記サブフレームにおけるダウンリンク物理チャネルに対応するＨＡＲＱフィードバックを送信するＴＤＤのタイミングと同一であり、
前記セカンダリセルのスケジューリングのために、前記ＵＥが他セルの制御チャネルを参照するよう構成されていない場合、かつ、前記プライマリセルがＴＤＤとして設定され且つ前記セカンダリセルがＦＤＤとして設定される場合、
第１のサブフレームが、前記プライマリセルにおいてダウンリンクサブフレーム又はスペシャルサブフレームである場合、前記セカンダリセルの前記第１のサブフレームにおけるダウンリンク物理チャネルに対応するＨＡＲＱフィードバックを送信するタイミングは、前記プライマリセルの前記第１のサブフレームにおけるダウンリンク物理チャネルに対応するＨＡＲＱフィードバックを送信するＴＤＤのタイミングと同一であり、
第２のサブフレームが、前記プライマリセルにおいてアップリンクサブフレームである場合、前記セカンダリセルの前記第２のサブフレームにおけるダウンリンク物理チャネルに対応するＨＡＲＱフィードバックを送信するタイミングは、前記プライマリセルの前記第２のサブフレームに最も近いダウンリンクサブフレーム又はスペシャルサブフレームのダウンリンク物理チャネルに対応するＨＡＲＱフィードバックを送信する、ＴＤＤのタイミングと同一である、
方法。
【請求項７】
前記ダウンリンク物理チャネルに対応するＨＡＲＱフィードバックを送信する前記プライマリセルのアップリンクサブフレーム１つあたりに対する、前記セカンダリセルのダウンリンク物理チャネルを受信するダウンリンクサブフレームの数は、
ｃｅｉｌ（前記セカンダリセルのダウンリンク物理チャネルを受信するダウンリンクサブフレームの数を、前記ダウンリンク物理チャネルに対応するＨＡＲＱフィードバックを送信する前記プライマリセルのアップリンクサブフレームの数で割った数）、又は
ｆｌｏｏｒ（前記セカンダリセルのダウンリンク物理チャネルを受信するダウンリンクサブフレームの数を、前記ダウンリンク物理チャネルに対応するＨＡＲＱフィードバックを送信する前記プライマリセルのアップリンクサブフレームの数で割った数）のいずれかである、
ことを特徴とした請求項６に記載の方法。
【請求項８】
前記プライマリセルがＦＤＤとして設定される場合、
前記ダウンリンク物理チャネルに対応するＨＡＲＱフィードバックを受信するタイミングは、ＦＤＤのためのタイミングと同一である、
ことを特徴とした請求項６又は７に記載の方法。
【請求項９】
前記ＨＡＲＱフィードバックを送信するためのＰＵＣＣＨ（Ｐｈｙｓｉｃａｌ  Ｕｐｌｉｎｋ  Ｃｏｎｔｒｏｌ  ＣＨａｎｎｅｌ）は、前記プライマリセルのみで送信される、
ことを特徴とした請求項６乃至８のいずれかに記載の方法。
【請求項１０】
前記ダウンリンク物理チャネルをサブフレームｎ−ｋで受信し、前記ＨＡＲＱフィードバックをサブフレームｎで送信し、
前記プライマリセルがＴＤＤ  Ｃｏｎｆｉｇｕｒａｔｉｏｎ  ３に設定されている場合、ｎ＝２のとき、ｋ＝１１，１０，９，８，７，６であり、
ｎ＝３のとき、ｋ＝６，５であり、
ｎ＝４のとき、ｋ＝５，４である、
ことを特徴とした請求項６乃至９のいずれかに記載の方法。
【請求項１１】
プライマリセルおよびセカンダリセルのＣＡ（Ｃａｒｒｉｅｒ Ａｇｇｒｅｇａｔｉｏｎ）をサポートする基地局であって、
前記セカンダリセルを介して、ダウンリンク物理チャネルを送信する送信機と、
前記セカンダリセルのダウンリンク物理チャネルに対応するＨＡＲＱ（Ｈｙｂｒｉｄ Ａｕｔｏｍａｔｉｃ Ｒｅｐｅａｔ Ｒｅｑｕｅｓｔ）フィードバックをＵＥ（Ｕｓｅｒ  Ｅｑｕｉｐｍｅｎｔ）から受信する受信機と、を備え、
前記セカンダリセルのスケジューリングのために、前記ＵＥが他セルの制御チャネルを参照するよう構成されている場合、かつ、前記プライマリセルがＴＤＤ（Ｔｉｍｅ Ｄｉｖｉｓｉｏｎａｌ Ｄｕｐｌｅｘ）として設定され且つ前記セカンダリセルがＦＤＤ（Ｆｒｅｑｕｅｎｃｙ Ｄｉｖｉｓｉｏｎａｌ Ｄｕｐｌｅｘ）として設定される場合、
前記セカンダリセルのサブフレームにおけるダウンリンク物理チャネルに対応するＨＡＲＱフィードバックを受信するタイミングは、前記プライマリセルの前記サブフレームにおけるダウンリンク物理チャネルに対応するＨＡＲＱフィードバックを受信するＴＤＤのタイミングと同一であり、
前記セカンダリセルのスケジューリングのために、前記ＵＥが他セルの制御チャネルを参照するよう構成されていない場合、且つ、前記プライマリセルがＴＤＤとして設定され且つ前記セカンダリセルがＦＤＤとして設定される場合、
第１のサブフレームが、前記プライマリセルにおいてダウンリンクサブフレーム又はスペシャルサブフレームである場合、前記セカンダリセルの前記第１のサブフレームにおけるダウンリンク物理チャネルに対応するＨＡＲＱフィードバックを受信するタイミングは、前記プライマリセルの前記第１のサブフレームにおけるダウンリンク物理チャネルに対応するＨＡＲＱフィードバックを受信するＴＤＤのタイミングと同一であり、
第２のサブフレームが、前記プライマリセルにおいてアップリンクサブフレームである場合、前記セカンダリセルの前記第２のサブフレームにおけるダウンリンク物理チャネルに対応するＨＡＲＱフィードバックを受信するタイミングは、前記プライマリセルの前記第２のサブフレームに最も近いダウンリンクサブフレーム又はスペシャルサブフレームのダウンリンク物理チャネルに対応するＨＡＲＱフィードバックを受信する、ＴＤＤのタイミングと同一である、
基地局。
【請求項１２】
プライマリセルおよびセカンダリセルのＣＡ（Ｃａｒｒｉｅｒ Ａｇｇｒｅｇａｔｉｏｎ）をサポートするＵＥ（Ｕｓｅｒ  Ｅｑｕｉｐｍｅｎｔ）であって、
前記セカンダリセルを介して、ダウンリンク物理チャネルを受信する受信機と、
前記ダウンリンク物理チャネルに対応するＨＡＲＱ（Ｈｙｂｒｉｄ Ａｕｔｏｍａｔｉｃ Ｒｅｐｅａｔ Ｒｅｑｕｅｓｔ）フィードバックを送信する送信機と、を備え、
前記セカンダリセルのスケジューリングのために、前記ＵＥが他セルの制御チャネルを参照するよう構成されている場合、かつ、前記プライマリセルがＴＤＤ（Ｔｉｍｅ Ｄｉｖｉｓｉｏｎａｌ Ｄｕｐｌｅｘ）として設定され且つ前記セカンダリセルがＦＤＤ（Ｆｒｅｑｕｅｎｃｙ Ｄｉｖｉｓｉｏｎａｌ Ｄｕｐｌｅｘ）として設定される場合、
前記セカンダリセルのサブフレームにおけるダウンリンク物理チャネルに対応するＨＡＲＱフィードバックを送信するタイミングは、前記プライマリセルの前記サブフレームにおけるダウンリンク物理チャネルに対応するＨＡＲＱフィードバックを送信するＴＤＤのタイミングと同一であり、
前記セカンダリセルのスケジューリングのために、前記ＵＥが他セルの制御チャネルを参照するよう構成されていない場合、かつ、前記プライマリセルがＴＤＤとして設定され且つ前記セカンダリセルがＦＤＤとして設定される場合、
第１のサブフレームが、前記プライマリセルにおいてダウンリンクサブフレーム又はスペシャルサブフレームである場合、前記セカンダリセルの前記第１のサブフレームにおけるダウンリンク物理チャネルに対応するＨＡＲＱフィードバックを送信するタイミングは、前記プライマリセルの前記第１のサブフレームにおけるダウンリンク物理チャネルに対応するＨＡＲＱフィードバックを送信するＴＤＤのタイミングと同一であり、
第２のサブフレームが、前記プライマリセルにおいてアップリンクサブフレームである場合、前記セカンダリセルの前記第２のサブフレームにおけるダウンリンク物理チャネルに対応するＨＡＲＱフィードバックを送信するタイミングは、前記プライマリセルの前記第２のサブフレームに最も近いダウンリンクサブフレーム又はスペシャルサブフレームのダウンリンク物理チャネルに対応するＨＡＲＱフィードバックを送信する、ＴＤＤのタイミングと同一である、
ＵＥ。
【発明の詳細な説明】
【技術分野】
【０００１】
本発明の実施形態は、大略、無線通信システムに関し、特にＣＡ(Ｃａｒｒｉｅｒ Ａｇｇｒｅｇａｔｉｏｎ)をサポートする通信システムにおいてＨＡＲＱ(Ｈｙｂｒｉｄ Ａｕｔｏｍａｔｉｃ Ｒｅｐｅａｔ Ｒｅｑｕｅｓｔ)タイミングを決定する方法、装置、基地局、ＵＥ(ｕｓｅｒ ｅｑｕｉｐｍｅｎｔ)及びコンピュータプログラムに関する。
【背景技術】
【０００２】
本章では、発明の理解を深め得る態様を紹介する。従って、本章の記述は、この観点から読み取られるべきであり、且つ従来技術であるもの又は従来技術で無いものについての認定として理解されるべきでは無い。
【０００３】
３ＧＰＰ(Ｔｈｉｒｄ Ｇｅｎｅｒａｔｉｏｎ Ｐａｒｔｎｅｒｓｈｉｐ Ｐｒｏｊｅｃｔ)、３ＧＰＰ２により定義されるＬＴＥ(Ｌｏｎｇ Ｔｅｒｍ Ｅｖｏｌｕｔｉｏｎ)及びＬＴＥ−Ａ(ＬＴＥ−Ａｄｖａｎｃｅｄ)の規格並びに／又はプロトコルは、次世代セルラ通信規格の一つである。多重化方式によれば、ＬＴＥシステム及びＬＴＥ−Ａシステムは、ＦＤＤ(Ｆｒｅｑｕｅｎｃｙ Ｄｉｖｉｓｉｏｎ Ｄｕｐｌｅｘ)及びＴＤＤ(Ｔｉｍｅ Ｄｉｖｉｓｉｏｎ Ｄｕｐｌｅｘ)の２つのモードを含む。サービスプロバイダは、その展開シナリオの状況によっては両タイプのシステムを実施すると予測される。ＴＤＤシステムを展開することの利点としては、異なるＵＬ−ＤＬ(ｕｐｌｉｎｋ−ｄｏｗｎｌｉｎｋ)設定を介して、(例えば、トラヒック特性に基づく)フレキシブルなリソース活用を提供することが挙げられる。
【０００４】
ＬＴＥ−Ａ要件を満たすためには、３ＧＰＰ Ｒｅｌｅａｓｅ ８／９で規定される２０ＭＨｚの帯域幅よりも広い伝送帯域幅をサポートすることが要求される。その推奨される解決策は、ＣＡ(Ｃａｒｒｉｅｒ Ａｇｇｒｅｇａｔｉｏｎ：キャリアアグリゲーション)である。ＣＡにおいては、１００ＭＨｚ迄の広い伝送帯域幅をサポートするために、２以上のＣＣ(Ｃｏｍｐｏｎｅｎｔ Ｃａｒｒｉｅｒｓ)が一体化される。ＵＥ(ｕｓｅｒ ｅｑｕｉｐｍｅｎｔ)は、その能力に応じて、１又は複数のＣＣ上で同時受信又は送信を行い得る。ｉｎｔｅｒ−ｂａｎｄ ＣＡとの併用により、ＦＤＤ帯域及びＴＤＤ帯域のキャリアアグリゲーションを用いて更なるフレキシビリティを達成可能である。
【０００５】
ＬＴＥ Ｒｅｌｅａｓｅ １０においては、ＦＤＤのキャリアアグリゲーション、及び同一のＵＬ−ＤＬ設定を伴うＴＤＤのキャリアアグリゲーションがサポートされて、より高いデータレート及びより高いスペクトル効率を得る。ＬＴＥ Ｒｅｌｅａｓｅ １１においては、異なる帯域上での異なるＵＬ−ＤＬ設定を伴うＴＤＤのキャリアアグリゲーションもサポートされて、データレート及びスペクトル効率を更に向上させる。３ＧＰＰ ＴＳＧ ＲＡＮ ｍｅｅｔｉｎｇ ＃５８、“Ｆｕｒｔｈｅｒ ＬＴＥ Ｃａｒｒｉｅｒ Ａｇｇｒｅｇａｔｉｏｎ Ｅｎｈａｎｃｅｍｅｎｔｓ”では、ＦＤＤ及びＴＤＤのキャリアアグリゲーションがワークアイテムとして提案されている。ＦＤＤ及びＴＤＤのＣＡにおいては、ＴＤＤ又はＦＤＤのいずれか一方をＰｃｅｌｌ(ｐｒｉｍａｒｙ ｃｅｌｌ：プライマリセル)として設定可能である。
【０００６】
Ｐｃｅｌｌは、プライマリ周波数上で運用するセルである。このＰｃｅｌｌにおいては、ＵＥが初期コネクション確立手順を行う又はコネクション再確立手順を開始するか、或いはセルがハンドオーバ手順でプライマリセルとして指示される。Ｓｃｅｌｌ(Ｓｅｃｏｎｄａｒｙ ｃｅｌｌ：セカンダリセル)は、セカンダリ周波数上で運用するセルであり、ＲＲＣコネクションが確立された時点で設定されても良いし、追加的な無線リソースを提供するために使用されても良い。ＣＡを伴い設定されたＲＲＣ＿ＣＯＮＮＥＣＴＥＤに在るＵＥにとって、“サービングセル(ｓｅｒｖｉｎｇ ｃｅｌｌｓ)”との文言は、プライマリセル及び全てのセカンダリセルから成る１以上のセルのセットを意味するものとして使用される。
【０００７】
初期伝送にて発生するデコード失敗に備えるため、ＬＴＥ／ＬＴＥ−Ａは、ＨＡＲＱ(Ｈｙｂｒｉｄ Ａｕｔｏｍａｔｉｃ Ｒｅｐｅａｔ Ｒｅｑｕｅｓｔ)を採用して、デコードに失敗したデータを物理レイヤ上で再送する。
【０００８】
ＨＡＲＱとは、デコードが失敗した場合に、受信機が送信機へＮＡＣＫ(Ｎｅｇａｔｉｖｅ ＡＣＫｎｏｗｌｅｄｇｅｍｅｎｔ)を送信し、以て送信機がデコードに失敗したデータを再送するようにする技術である。データが成功裏にデコードされると、受信機は、送信機へＡＣＫ(ＡＣＫｎｏｗｌｅｄｇｅｍｅｎｔ)を送信し、以て送信機が新たなデータを送信するようにする。
【０００９】
通常、物理ダウンリンクチャネル、例えばＰＤＳＣＨ(Ｐｈｙｓｉｃａｌ Ｄｏｗｎｌｉｎｋ Ｓｈａｒｅｄ ＣＨａｎｎｅｌ)に対応するＨＡＲＱフィードバックは、予め定義したタイミングに応じて、ＰＵＣＣＨ(Ｐｈｙｓｉｃａｌ Ｕｐｌｉｎｋ Ｃｏｎｔｒｏｌ Ｃｈａｎｎｅｌ)又はＰＵＳＣＨ(Ｐｈｙｓｉｃａｌ Ｕｐｌｉｎｋ Ｓｈａｒｅｄ Ｃｈａｎｎｅｌ)等の物理アップリンクチャネル上で送信される。また、物理アップリンクチャネル、例えばＰＵＳＣＨ(Ｐｈｙｓｉｃａｌ Ｕｐｌｉｎｋ Ｓｈａｒｅｄ ＣＨａｎｎｅｌ)に対応するＨＡＲＱフィードバックは、予め定義したタイミングに応じて、ＰＨＩＣＨ(Ｐｈｙｓｉｃａｌ Ｈｙｂｒｉｄ ＡＲＱ Ｉｎｄｉｃａｔｏｒ ＣＨａｎｎｅｌ)等の物理ダウンリンクチャネル上で送信される。
【００１０】
欧州特許出願ＥＰ２５３０８６３Ａ２においては、物理チャネルの送／受信タイミング及びリソース再割当を定義する方法が、ＣＡをサポートするＴＤＤシステムにおける使用のために提案されている。
【００１１】
しかしながら、従来技術において、ＦＤＤ及びＴＤＤのＣＡをサポートする通信システムのためにＨＡＲＱフィードバックタイミングを定義するソリューションは何ら存在しない。
【発明の概要】
【００１２】
上記課題の１以上により好ましく対処するため、発明の第１の態様においては、基地局にて、プライマリセル及び少なくとも一つのセカンダリセルのＣＡ（Ｃａｒｒｉｅｒ Ａｇｇｒｅｇａｔｉｏｎ）をサポートする通信システムにおけるＵＥ（ｕｓｅｒ ｅｑｕｉｐｍｅｎｔ）から、ＨＡＲＱ（Ｈｙｂｒｉｄ Ａｕｔｏｍａｔｉｃ Ｒｅｐｅａｔ Ｒｅｑｕｅｓｔ）フィードバックを受信する方法が提供される。前記プライマリセル及びセカンダリセルは、ＦＤＤ（Ｆｒｅｑｕｅｎｃｙ Ｄｉｖｉｓｉｏｎａｌ Ｄｕｐｌｅｘ）又はＴＤＤ（Ｔｉｍｅ Ｄｉｖｉｓｉｏｎａｌ Ｄｕｐｌｅｘ）のいずれか一方をサポートする。この方法は、前記プライマリセル及びセカンダリセルの一つを介して、ダウンリンク物理チャネルを送信し、前記プライマリセルに対し予め定めた第１のタイミングで、前記プライマリセルのダウンリンク物理チャネルに対応するＨＡＲＱフィードバックを受信し、第２のタイミングで、前記セカンダリセルのダウンリンク物理チャネルに対応するＨＡＲＱフィードバックを受信する、ことを含む。前記第２のタイミングは、前記プライマリセル及びセカンダリセルのデュプレックスモード、前記セカンダリセルのスケジューリングモード、並びに予め定めたルールの１以上に応じて決定される。
【００１３】
幾つかの実施形態において、前記デュプレックスモードは、ＴＤＤ及びＦＤＤから選択され、前記スケジューリングモードは、セルフスケジューリング及びクロスキャリアスケジューリングから選択され、前記予め定めたルールは、前記ＨＡＲＱフィードバックを、前記プライマリセルのコンポーネントキャリア上でのみ送信することである。
【００１４】
幾つかの実施形態において、前記プライマリセルがＦＤＤとして設定される場合、前記セカンダリセルのセルフスケジューリング及びクロスキャリアスケジューリングの両者のために、前記第２のタイミングは、前記第１のタイミングと同一である。
【００１５】
幾つかの実施形態において、前記プライマリセルがＴＤＤとして設定される場合、前記セカンダリセルのクロスキャリアスケジューリングのために、前記第２のタイミングは、前記第１のタイミングと同一である。
【００１６】
幾つかの実施形態において、前記プライマリセルがＴＤＤとして設定され且つ前記セカンダリセルがＦＤＤとして設定される場合、前記セカンダリセルのセルフスケジューリングのために、前記第２のタイミングは、前記第１のタイミングと同一である、前記プライマリセルのＴＤＤ設定より多くの利用可能なダウンリンクサブフレームを有するＴＤＤ設定用の第３のタイミングと同一である、及び前記セカンダリセルに固有の第４のタイミング、のいずれか一つに応じて決定される。
【００１７】
更なる実施形態において、前記第４のタイミングは、前記プライマリセルにおけるダウンリンクサブフレームでもある第１のダウンリンクサブフレームのために、前記第１のダウンリンクサブフレームのタイミングが前記第１のタイミングと同一であり、前記プライマリセルにおけるアップリンクサブフレームである第２のダウンリンクサブフレームのために、前記第２のダウンリンクサブフレームのタイミングが、前記第２のダウンリンクサブフレームに最も近い前記プライマリセルのダウンリンクフレームのタイミングと、処理遅延との最大値と同一である、ように決定される。オプションとして、前記第４のタイミングは、前記プライマリセルのアップリンクサブフレームの数に応じて更に調整されて、前記プライマリセルの前記アップリンクサブフレーム間で前記ＨＡＲＱフィードバックのバランスを取りつつ、ＨＡＲＱフィードバック遅延を最小化する。
【００１８】
発明の第２の態様においては、ＵＥ（ｕｓｅｒ ｅｑｕｉｐｍｅｎｔ）にて、プライマリセル及び少なくとも一つのセカンダリセルのＣＡ（Ｃａｒｒｉｅｒ Ａｇｇｒｅｇａｔｉｏｎ）をサポートする通信システムにおける基地局へ、ＨＡＲＱ（Ｈｙｂｒｉｄ Ａｕｔｏｍａｔｉｃ Ｒｅｐｅａｔ Ｒｅｑｕｅｓｔ）フィードバックを送信する方法が提供される。前記プライマリセル及びセカンダリセルは、ＦＤＤ（Ｆｒｅｑｕｅｎｃｙ Ｄｉｖｉｓｉｏｎａｌ Ｄｕｐｌｅｘ）又はＴＤＤ（Ｔｉｍｅ Ｄｉｖｉｓｉｏｎａｌ Ｄｕｐｌｅｘ）のいずれか一方をサポートする。この方法は、前記プライマリセル及びセカンダリセルの一つを介して、ダウンリンク物理チャネルを受信し、前記プライマリセルに対し予め定めた第１のタイミングで、前記プライマリセルのダウンリンク物理チャネルに対応するＨＡＲＱフィードバックを送信し、第２のタイミングで、前記セカンダリセルのダウンリンク物理チャネルに対応するＨＡＲＱフィードバックを送信する、ことを含む。前記第２のタイミングは、前記プライマリセル及びセカンダリセルのデュプレックスモード、前記セカンダリセルのスケジューリングモード、並びに予め定めたルールの１以上に応じて決定される。
【００１９】
発明の第３の態様においては、基地局にて、プライマリセル及び少なくとも一つのセカンダリセルのＣＡ（Ｃａｒｒｉｅｒ Ａｇｇｒｅｇａｔｉｏｎ）をサポートする通信システムにおけるＵＥ（ｕｓｅｒ ｅｑｕｉｐｍｅｎｔ）へ、ＨＡＲＱ（Ｈｙｂｒｉｄ Ａｕｔｏｍａｔｉｃ Ｒｅｐｅａｔ Ｒｅｑｕｅｓｔ）フィードバックを送信する方法が提供される。前記プライマリセル及びセカンダリセルは、ＦＤＤ（Ｆｒｅｑｕｅｎｃｙ Ｄｉｖｉｓｉｏｎａｌ Ｄｕｐｌｅｘ）又はＴＤＤ（Ｔｉｍｅ Ｄｉｖｉｓｉｏｎａｌ Ｄｕｐｌｅｘ）のいずれか一方をサポートする。この方法は、前記プライマリセル及びセカンダリセルの一つを介して、アップリンク物理チャネルを受信し、前記プライマリセルに対し予め定めた第１のタイミングで、前記プライマリセルのアップリンク物理チャネルに対応するＨＡＲＱフィードバックを送信し、第２のタイミングで、前記セカンダリセルのアップリンク物理チャネルに対応するＨＡＲＱフィードバックを送信する、ことを含む。前記第２のタイミングは、前記プライマリセル及びセカンダリセルのデュプレックスモード、前記セカンダリセルのスケジューリングモード、並びに予め定めたルールの１以上に応じて決定される。
【００２０】
幾つかの実施形態において、前記デュプレックスモードは、ＴＤＤ及びＦＤＤから選択され、前記スケジューリングモードは、セルフスケジューリング及びクロスキャリアスケジューリングから選択され、前記予め定めたルールは、前記ＨＡＲＱフィードバックを、アップリンクグラントを搬送するコンポーネントキャリア上でのみ送信することである。
【００２１】
幾つかの実施形態において、セルフスケジューリングのために、前記第２のタイミングは、前記セカンダリセルに対し予め定めたタイミングと同一である。
【００２２】
幾つかの実施形態において、クロスキャリアスケジューリングのために、前記第２のタイミングは、スケジューリングセル及びスケジュールされたセルのデュプレックスモードに応じて更に決定される。
【００２３】
更なる実施形態において、前記セカンダリセルがスケジューリングセルである場合、前記第２のタイミングは、前記セカンダリセルに対し予め定めたタイミングと同一である。
【００２４】
更なる実施形態において、前記セカンダリセルがＴＤＤとして設定され且つＦＤＤコンポーネントキャリアセルによってスケジュールされている場合、前記第２のタイミングは、前記セカンダリセルに対し予め定めたタイミングと同一である。
【００２５】
また、前記セカンダリセルがＦＤＤとして設定され且つＴＤＤコンポーネントキャリアセルによってスケジュールされている場合、前記第２のタイミングは、前記スケジューリングセルのタイミングと同一である、及び可能な限り前記セカンダリセルのアップリンクサブフレームを利用出来るＴＤＤ設定用の第３のタイミングと同一である、のいずれか一つに応じて決定される。
【００２６】
発明の第４の態様においては、ＵＥ（ｕｓｅｒ ｅｑｕｉｐｍｅｎｔ）にて、プライマリセル及び少なくとも一つのセカンダリセルのＣＡ（Ｃａｒｒｉｅｒ Ａｇｇｒｅｇａｔｉｏｎ）をサポートする通信システムにおける基地局から、ＨＡＲＱ（Ｈｙｂｒｉｄ Ａｕｔｏｍａｔｉｃ Ｒｅｐｅａｔ Ｒｅｑｕｅｓｔ）フィードバックを受信する方法が提供される。前記プライマリセル及びセカンダリセルは、ＦＤＤ（Ｆｒｅｑｕｅｎｃｙ Ｄｉｖｉｓｉｏｎａｌ Ｄｕｐｌｅｘ）又はＴＤＤ（Ｔｉｍｅ Ｄｉｖｉｓｉｏｎａｌ Ｄｕｐｌｅｘ）のいずれか一方をサポートする。この方法は、前記プライマリセル及びセカンダリセルの一つを介して、アップリンク物理チャネルを送信し、前記プライマリセルに対し予め定めた第１のタイミングで、前記プライマリセルのアップリンク物理チャネルに対応するＨＡＲＱフィードバックを受信し、第２のタイミングで、前記セカンダリセルのアップリンク物理チャネルに対応するＨＡＲＱフィードバックを受信する、ことを含む。前記第２のタイミングは、前記プライマリセル及びセカンダリセルのデュプレックスモード、前記セカンダリセルのスケジューリングモード、並びに予め定めたルールの１以上に応じて決定される。
【００２７】
発明の第５の態様においては、発明の第１の態様の方法の各種実施形態を実施するための装置が提供される。この装置は、前記プライマリセル及びセカンダリセルの一つを介して、ダウンリンク物理チャネルを送信する送信機、を備える。また、この装置は、前記プライマリセルに対し予め定めた第１のタイミングで、前記プライマリセルのダウンリンク物理チャネルに対応するＨＡＲＱフィードバックを受信し、第２のタイミングで、前記セカンダリセルのダウンリンク物理チャネルに対応するＨＡＲＱフィードバックを受信する受信機、を備える。前記第２のタイミングは、前記プライマリセル及びセカンダリセルのデュプレックスモード、前記セカンダリセルのスケジューリングモード、並びに予め定めたルールの１以上に応じて決定される。
【００２８】
発明の第６の態様においては、発明の第２の態様の方法の各種実施形態を実施するための装置が提供される。この装置は、前記プライマリセル及びセカンダリセルの一つを介して、ダウンリンク物理チャネルを受信する受信機、を備える。また、この装置は、前記プライマリセルに対し予め定めた第１のタイミングで、前記プライマリセルのダウンリンク物理チャネルに対応するＨＡＲＱフィードバックを送信し、第２のタイミングで、前記セカンダリセルのダウンリンク物理チャネルに対応するＨＡＲＱフィードバックを送信する送信機、を備える。前記第２のタイミングは、前記プライマリセル及びセカンダリセルのデュプレックスモード、前記セカンダリセルのスケジューリングモード、並びに予め定めたルールの１以上に応じて決定される。
【００２９】
発明の第７の態様においては、発明の第３の態様の方法の各種実施形態を実施するための装置が提供される。この装置は、前記プライマリセル及びセカンダリセルの一つを介して、アップリンク物理チャネルを受信する受信機、を備える。また、この装置は、前記プライマリセルに対し予め定めた第１のタイミングで、前記プライマリセルのアップリンク物理チャネルに対応するＨＡＲＱフィードバックを送信し、第２のタイミングで、前記セカンダリセルのアップリンク物理チャネルに対応するＨＡＲＱフィードバックを送信する送信機、を備える。前記第２のタイミングは、前記プライマリセル及びセカンダリセルのデュプレックスモード、前記セカンダリセルのスケジューリングモード、並びに予め定めたルールの１以上に応じて決定される。
【００３０】
発明の第８の態様においては、発明の第４の態様の方法の各種実施形態を実施するための装置が提供される。この装置は、前記プライマリセル及びセカンダリセルの一つを介して、アップリンク物理チャネルを送信する送信機、を備える。また、この装置は、前記プライマリセルに対し予め定めた第１のタイミングで、前記プライマリセルのアップリンク物理チャネルに対応するＨＡＲＱフィードバックを受信し、第２のタイミングで、前記セカンダリセルのアップリンク物理チャネルに対応するＨＡＲＱフィードバックを受信する受信機、を備える。前記第２のタイミングは、前記プライマリセル及びセカンダリセルのデュプレックスモード、前記セカンダリセルのスケジューリングモード、並びに予め定めたルールの１以上に応じて決定される。
【００３１】
発明の第９の態様においては、少なくとも一つのプロセッサと、コンピュータプログラムコードを含む少なくとも一つのメモリとを備えた装置が提供される。前記メモリ及びコンピュータプログラムコードは、前記装置に、発明の第１、第２、第３又は第４の態様の方法の実施形態を実行させる。
【００３２】
発明の第１０の態様においては、コンピュータ可読プログラムコード部が記憶された少なくとも一つのコンピュータ可読記憶媒体を備えるコンピュータプログラムプロダクトが提供される。前記コンピュータ可読プログラムコード部は、発明の第１、第２、第３又は第４の態様の方法の実施形態を実行するためのプログラムコード指示を備える。
【００３３】
本明細書で説明される技術の特定の実施形態によれば、ＨＡＲＱフィードバックタイミングが、ＦＤＤ及びＴＤＤのＣＡをサポートする通信システムのために定義される。幾つかの実施形態においては、高いピークレートを維持可能でありつつ、フィードバック遅延を最小化する。
【００３４】
本発明の実施形態の他の特徴及び利点も、特定の実施形態の以下の説明から、例として本発明の実施形態の原理を示す図面と併せて読み取った場合に理解されるであろう。
【図面の簡単な説明】
【００３５】
発明の各種実施形態の上記並びに他の態様、特徴及び利点は、例としての以下の詳細な説明及び図面からより十分に明らかとなるであろう。
【００３６】
【図１】ＬＴＥシステムにおいて定義されるＦＤＤフレーム構造及びＴＤＤフレーム構造を示した図である。
【００３７】
【図２】ＴＤＤシステムにおけるアップリンク／ダウンリンクサブフレーム割当の一の例示的なセットを示した図である。
【００３８】
【図３】ＬＴＥ仕様において定義されるＴＤＤ用のＰＤＳＣＨ ＨＡＲＱタイミングを示した図である。
【００３９】
【図４】ＬＴＥ仕様において定義されるＴＤＤ用のＰＵＳＣＨ ＨＡＲＱタイミングを示した図である。
【００４０】
【図５】ＬＴＥ仕様において定義されるＴＤＤ用のＰＵＳＣＨスケジューリングタイミングを示した図である。
【００４１】
【図６Ａ】ＦＤＤ及びＴＤＤのＣＡのシナリオを示した図である。
【図６Ｂ】ＦＤＤ及びＴＤＤのＣＡのシナリオを示した図である。
【００４２】
【図７】本発明の実施形態に係る、ＰｃｅｌｌがＦＤＤとして設定される場合に用いる物理チャネル同士間のタイミング関係を示した図である。
【００４３】
【図８】本発明の実施形態に係る、ＰｃｅｌｌがＴＤＤとして設定され且つＳｃｅｌｌがクロスキャリアスケジュールされる場合に用いる物理チャネル同士間のタイミング関係を示した図である。
【００４４】
【図９】本発明の実施形態に係る、ＰｃｅｌｌがＴＤＤとして設定され且つＳｃｅｌｌ(ＦＤＤ−ＣＣ)がセルフスケジュールされる場合に用いる物理チャネル同士間の第１のタイミング関係例を示した図である。
【００４５】
【図１０】本発明の実施形態に係る、ＰｃｅｌｌがＴＤＤとして設定され且つＳｃｅｌｌ(ＦＤＤ−ＣＣ)がセルフスケジュールされる場合に用いる物理チャネル同士間の第２のタイミング関係例を示した図である。
【００４６】
【図１１】第２のソリューションに係る、利用可能なダウンリンクサブフレームの数のためのテーブルを示した図である。
【００４７】
【図１２】本発明の実施形態の第３のソリューションに係る、ＰｃｅｌｌがＴＤＤとして設定され且つＳｃｅｌｌ(ＦＤＤ)がセルフスケジュールされる場合におけるＳｃｅｌｌ(ＦＤＤ)用の例示的な設計プロセスを示した図である。
【００４８】
【図１３】本発明の実施形態の第３のソリューションに係る、ＰｃｅｌｌがＴＤＤとして設定され且つＳｃｅｌｌ(ＦＤＤ)がセルフスケジュールされる場合におけるＳｃｅｌｌ(ＦＤＤ)用の他の例示的な設計プロセスを示した図である。
【００４９】
【図１４】本発明の第３のソリューションに係る、ＰｃｅｌｌがＴＤＤとして設定され且つＳｃｅｌｌ(ＦＤＤ)がセルフスケジュールされる場合におけるＳｃｅｌｌ(ＦＤＤ)用のＰＤＳＣＨ ＨＡＲＱタイミングを示した図である。
【００５０】
【図１５】本発明の実施形態に係る、サービングセルがセルフスケジュールされる場合に用いる物理チャネル同士間のタイミング関係を示した図である。
【００５１】
【図１６】本発明の実施形態のソリューションＢに係る、利用可能なアップリンクサブフレームの数のためのテーブルを示した図である。
【００５２】
【図１７】本発明の実施形態の実施に用いるのに適したエンティティの簡略化されたブロック図である。
【００５３】
各種図面における同様の参照番号及び記号は、同様の構成要素を示す。
【発明を実施するための形態】
【００５４】
以下、本発明の原理及び精神を、実施形態を参照して説明する。当然のことながら、これら全ての実施形態は、当業者が本発明をより良く理解し且つ更には実施するためにのみ与えられるものであって、本発明の範囲を制限するものでは無い。例えば、一の実施形態の一部として例示又は説明される特徴は、他の実施形態と共に用いられて、更なる実施形態を生じさせても良い。明確性の都合上、本明細書では実際の実施に係る全ての特徴については説明されない。勿論、実際の実施形態といった段階では、多くの実装特有の決定が、システム及びビジネスに関連した制約の順守等、一の実装から他の実装へ変更され得る開発者の具体的な目標を達成するために成されるべきことは明らかである。また、このような開発努力は、複雑且つ時間を要するものであるが、それでもやはり本開示の恩恵を受ける当業者にとっては日常業務に当ることが明らかである。
【００５５】
これより、開示される主題を、添付図面を参照して説明する。図面においては、種々の構造、システム及び装置を、説明のみを目的として且つ当業者にとって公知な細部の説明を曖昧とせずに概略的に示す。但し、添付図面には、開示される主題の実例を説明するためのものが含まれる。ここで用いる文言及び表現は、それらの当業者による理解と一致する意味を有するものとして理解及び解釈されるべきである。特段の定義の無い文言又は表現、すなわち当業者により理解される通常且つ慣習的な意味とは異なる定義は、ここでの一貫した文言又は表現の使用によって定義されることを意図している。文言又は表現が特別な意味、すなわち当業者により理解されるもの以外の意味を有することを意図する限り、このような特別な定義を、文言又は表現に対し特別な定義を直接的且つ明白に与える定義方式で明細書において明確に説明する。
【００５６】
以降の説明において、ＢＳ(ｂａｓｅ ｓｔａｔｉｏｎ：基地局)は、リソースを端末へ割り当てるエンティティであり、ｅＮＢ(ｅｎｈａｎｃｅｄ Ｎｏｄｅ Ｂ)、Ｎｏｄｅ Ｂ、ＢＳ、無線アクセスユニット、基地局コントローラ及びネットワーク上のノードのいずれかであり得る。端末は、ＵＥ(ｕｓｅｒ ｅｑｕｉｐｍｅｎｔ)、ＭＳ(ｍｏｂｉｌｅ ｓｔａｔｉｏｎ)、セルラフォン、スマートフォン、コンピュータ又は通信機能を備えたマルチメディアシステムであり得る。
【００５７】
図１は、ＬＴＥシステムにおいて定義されるＦＤＤフレーム構造及びＴＤＤフレーム構造を示している。図１に示すように、一の無線フレームは、１０ｍｓの全体長を有している。
【００５８】
ＦＤＤフレーム構造において、フレームは、合計で１０個のサブフレームへ分割され、各サブフレームは、１ｍｓの長さを有する。ＵＬ(ｕｐｌｉｎｋ)サブフレーム及びＤＬ(ｄｏｗｎｌｉｎｋ)サブフレームは、異なる周波数ｆＵＬ及びｆＤＬ上で伝送される。
【００５９】
ＴＤＤフレーム構造において、１０ｍｓのフレームは、その各々が５ｍｓ長である２つのハーフフレームを含む。各ハーフフレームは、その各々が１ｍｓ長である５つのサブフレームに更に分割される。サブフレームは、ＵＬ伝送サブフレーム、ＤＬ伝送サブフレーム及びスペシャルフレームに分類される。スペシャルサブフレームは、ＤｗＰＴＳ(Ｄｏｗｎｌｉｎｋ Ｐｉｌｏｔ Ｔｉｍｅ Ｓｌｏｔ)、ＧＰ(Ｇｕａｒｄ Ｐｅｒｉｏｄ)及びＵｐＰＴＳ(Ｕｐｌｉｎｋ Ｐｉｌｏｔ Ｔｉｍｅ Ｓｌｏｔ)の３つのフィールドから成る。
【００６０】
図２は、ＴＤＤシステムにおけるアップリンク／ダウンリンクサブフレーム割当の一の例示的なセットを示している。図２に示すように、合計で７つのアップ／ダウンリンク設定がセットされ、これらは５ｍｓ又は１０ｍｓのスイッチポイント周期性を使用する。これらの設定において、ダウンリンク対アップリンクリソースの異なる比が異なるロード条件に利用可能である。図２に示すサブフレームにおいて、Ｄは、ダウンリンク伝送用のサブフレームであり、Ｓは、ガードタイムに用いる“スペシャル”サブフレームであり、Ｕは、アップリンク伝送用のサブフレームである。サブフレーム番号１〜９は、一の無線フレームを構成するサブフレームのインデックスを示している。当業者によれば、図２に示す割当が例示的なものであることを意図し、所定の代替セットを用いても良いことが明らかである。
【００６１】
ＴＤＤ ＵＬ−ＤＬ設定＃３の場合、ｅＮＢ(ｅｖｏｌｖｅｄ Ｎｏｄｅ Ｂ)又はＢＳ(ｂａｓｅ ｓｔａｔｉｏｎ)は、サブフレーム＃０、＃５、＃６、＃７、＃８及び＃９にて、ダウンリンクデータ及び／又は制御情報を送信可能であり、サブフレーム＃２、＃３及び＃４にて、アップリンクデータ及び／又は制御情報を受信可能である。スペシャルサブフレームとしてのサブフレーム＃１は、ダウンリンク制御情報及び／又はダウンリンクデータを択一的に、並びにＳＲＳ(Ｓｏｕｎｄｉｎｇ Ｒｅｆｅｒｅｎｃｅ Ｓｉｇｎａｌ)又はアップリンクにおけるＲＡＣＨ(Ｒａｎｄｏｍ Ａｃｃｅｓｓ Ｃｈａｎｎｅｌ)を伝送するのに用いることが可能である。
【００６２】
ＦＤＤ−ＬＴＥとＴＤＤ−ＬＴＥの間での異なるＵＬ−ＤＬ設定に因り、ＬＴＥ現行仕様で定義される、ＰＤＳＣＨに対応するＨＡＲＱタイミング及びＰＵＳＣＨに対応するＨＡＲＱタイミングは、ＦＤＤ及びＴＤＤのＣＡのシナリオにおいては機能しない虞がある。加えて、現行のＬＴＥ仕様においては、ＰＵＣＣＨが、Ｐｃｅｌｌ上でのみ伝送され得て、ＰＣＩＣＨが、アップリンクグラント(ｕｐｌｉｎｋ ｇｒａｎｔ)を搬送するコンポーネントキャリア上でのみ伝送され得る。
【００６３】
現行のＬＴＥ仕様においては、ＦＤＤシステム及び単一のサービングセルに対して、ＰＤＳＣＨと、ＰＤＳＣＨに対応するアップリンクＨＡＲＱ ＡＣＫ／ＮＡＣＫを搬送するＰＵＣＣＨ又はＰＵＳＣＨとの間のタイミング関係は、サブフレーム＃ｎにて送信されるＨＡＲＱ ＡＣＫ／ＮＡＣＫが、サブフレーム＃ｎ−４にて受信されるＰＤＳＣＨに関連付けられると定義されている。
【００６４】
ＴＤＤシステム及び単一のサービングセルに対しては、ＰＤＳＣＨとＰＵＣＣＨ又はＰＵＳＣＨとの間のタイミング関係が、ＦＤＤシステム用のものよりも複雑である。
【００６５】
図３は、ＬＴＥ仕様で定義されるＴＤＤ用のＰＤＳＣＨ ＨＡＲＱタイミングを示している。
【００６６】
ＵＥは、ｅＮＢにより送信されたＰＤＳＣＨを(ｎ−ｋ)番目のサブフレームにて受信し、受信したＰＤＳＣＨに対応するアップリンクＨＡＲＱ ＡＣＫ／ＮＡＣＫをｎ番目のサブフレームにて送信する。換言すると、サブフレーム＃ｎにおいて送信されるＨＡＲＱ ＡＣＫ／ＮＡＣＫは、サブフレーム＃ｎ−ｋにおいて受信されるＰＤＳＣＨに関連付けられている。ここで、ｋはセットＫの要素を意味し、Ｋは図３に示す如く定義される。
【００６７】
現行のＬＴＥ仕様においては、ＦＤＤシステム及び単一のサービングセルに対して、ＰＵＳＣＨと、ＰＵＳＣＨに対応するダウンリンクＨＡＲＱ ＡＣＫ／ＮＡＣＫを搬送するＰＨＩＣＨとの間のタイミング関係は、サブフレーム＃ｎにて送信されるＨＡＲＱ ＡＣＫ／ＮＡＣＫが、サブフレーム＃ｎ−４にて受信されるＰＵＳＣＨに関連付けられると定義されている。
【００６８】
ＴＤＤシステム及び単一のサービングセルに対しては、ＰＵＳＣＨとＰＨＩＣＨとの間のタイミング関係が、ＦＤＤシステム用のものよりも複雑である。
【００６９】
図４は、ＬＴＥ仕様で定義されるＴＤＤ用のＰＵＳＣＨ ＨＡＲＱタイミングを示している。
【００７０】
ｅＮＢは、ＵＥにより送信されたＰＵＳＣＨを(ｎ−ｋＰＨＩＣＨ)番目のサブフレームにて受信し、受信したＰＵＳＣＨに対応するダウンリンクＨＡＲＱ ＡＣＫ／ＮＡＣＫをｎ番目のサブフレームにて送信する。換言すると、サブフレーム＃ｎにおいてスケジュールされるＰＵＳＣＨ送信のために、ＵＥは、サブフレーム＃(ｎ＋ｋＰＨＩＣＨ)における対応ＰＨＩＣＨリソースを決定する必要がある。ここで、ｋＰＨＩＣＨは図３に与えられている。
【００７１】
大略、コンポーネントキャリア上で送信すべきデータ用のスケジューリング情報は、ＤＣＩ(Ｄｏｗｎｌｉｎｋ Ｃｏｎｔｒｏｌ Ｉｎｆｏｒｍａｔｉｏｎ)においてＵＥへ送信される。ＤＣＩは、種々のフォーマットで定義される。
【００７２】
ＰＵＳＣＨスケジューリングタイミングは、ＬＴＥ仕様において定義されている。ＦＤＤのために、ＵＥは、自ＵＥ向けのサブフレーム＃ｎにおいてＤＣＩ(ｄｏｗｎｌｉｎｋ ｃｏｎｔｒｏｌ ｉｎｆｏｒｍａｔｉｏｎ)フォーマット０／４を伴うＰＤＣＣＨ／ＥＰＤＣＣＨ(Ｅｎｈａｎｃｅｄ−ＰＤＣＣＨ)を検出した際、ＰＤＣＣＨ／ＥＰＤＣＣＨに応じて、サブフレーム＃ｎ＋４における対応ＰＵＳＣＨ送信を調整する必要がある。
【００７３】
図５は、ＬＴＥ仕様で定義されるＴＤＤ用のＰＵＳＣＨスケジューリングタイミングを示している。ＴＤＤのために、ＵＥは、自ＵＥ向けのサブフレーム＃ｎにおいてＤＣＩフォーマット０／４を伴うＰＤＣＣＨ／ＥＰＤＣＣＨを検出した際、ＰＤＣＣＨ／ＥＰＤＣＣＨに応じて、サブフレームｎ＋ｋにおいて対応ＰＵＳＣＨ送信を調整する必要がある。ここで、ｋは図５に与えられている。
【００７４】
上記の議論から、データスケジューリング用の制御チャネル、スケジュールされたデータチャネル及びデータチャネルに対応するＨＡＲＱ ＡＣＫ／ＮＡＣＫチャネル等の、アップリンク物理チャネルとダウンリンク物理チャネルとの間のタイミング関係は、ＴＤＤシステムにおける異なるＵＬ−ＤＬ設定に因って定義されるべきと見受けられる。
【００７５】
ＦＤＤ−ＬＴＥとＴＤＤ−ＬＴＥとの間の異なるＵＬ−ＤＬ設定に因り、ＦＤＤ及びＴＤＤのキャリアアグリゲーションをサポートするシステムにおいても同様の問題が存在する。また、ＦＤＤ及びＴＤＤのＣＡのどのシナリオにおいても、次のルールが満たされるべきである。すなわち、ＰＵＣＣＨは、Ｐｃｅｌｌ上でのみ伝送可能であり、ＰＵＳＣＨに対応するダウンリンクＨＡＲＱ ＡＣＫ／ＮＡＣＫを搬送するＰＨＩＣＨは、アップリンクグラントを搬送するコンポーネントキャリア上でのみ伝送可能である。
【００７６】
図６Ａ及び図６Ｂは、ＦＤＤ及びＴＤＤのＣＡのシナリオを示している。これらのシナリオは、Ｐｃｅｌｌのデュプレックスモードに応じて分類される。
【００７７】
図６Ａは、ＰｃｅｌｌがＦＤＤ−ＣＣ(ＦＤＤ ｃｏｍｐｏｎｅｎｔ ｃａｒｒｉｅｒ)で設定されるシナリオ１を示している。図６Ａにおいては、ＰｃｅｌｌがＦＤＤとして設定されるため、無線フレーム内の任意の時間に亘り、異なる周波数上でダウンリンク(ＤＬ)伝送用のサブフレームとアップリンク(ＤＬ)伝送用のサブフレームとが存在する。また、図６Ａは、ＴＤＤとしての一のＳｃｅｌｌも示している。例のＳｃｅｌｌは、ＴＤＤ ＵＬ−ＤＬ設定＃２で設定されており、サブフレーム＃０、＃３、＃４、＃５、＃８及び＃９がＤＬ伝送用のダウンリンクサブフレームであり、サブフレーム＃２及び＃７がＵＬ伝送用のアップリンクサブフレームであり、サブフレーム＃１及び＃６がダウンリンク及びアップリンク伝送に使用可能なスペシャルサブフレームである。当業者によれば、より多くのＳｃｅｌｌが可能であり、これら追加的なＳｃｅｌｌをＦＤＤとして或いは異なるＵＬ−ＤＬ設定を伴うＴＤＤとして設定しても良いことは明らかである。
【００７８】
図６Ｂは、ＰｃｅｌｌがＴＤＤ−ＣＣ(ＴＤＤ ｃｏｍｐｏｎｅｎｔ ｃａｒｒｉｅｒ)で設定されるシナリオ２を示している。図６Ｂにおいては、ＰｃｅｌｌがＴＤＤ ＵＬ−ＤＬ設定＃２で設定される。また、図６Ｂは、無線フレーム内の任意の時間に亘ってＤＬサブフレーム及びＵＬサブフレームを有する、ＦＤＤとしての一のＳｃｅｌｌも示している。当業者によれば、より多くのＳｃｅｌｌが可能であり、これら追加的なＳｃｅｌｌをＦＤＤとして或いは異なるＵＬ−ＤＬ設定を伴うＴＤＤとして設定しても良いことは明らかである。
【００７９】
なお、Ｐｃｅｌｌ及びＳｃｅｌｌが、共にＦＤＤである、又は同一若しくは異なるＵＬ−ＤＬ設定を伴って共にＴＤＤである場合のために、ＨＡＲＱタイミングが幾つかの仕様において定義されている。本書において提案するソリューションは、Ｐｃｅｌｌ及びＳｃｅｌｌが異なるデュプレックスモード(ＴＤＤ／ＦＤＤ)を有する場合を意図している。よって、明確に指示が無ければ、議論においてＰｃｅｌｌ及びＳｃｅｌｌは異なるデュプレックスモードを有する。
【００８０】
当業者であれば、シナリオをスケジューリングモード等の他の要因に応じて分類しても良いことが理解されよう。キャリアアグリゲーションをサポートするＬＴＥ−Ａシステムにおいて、データ送信用のＤＣＩを搬送するコンポーネントキャリアと、ＤＣＩによって指示される如くスケジュールされたデータを搬送するコンポーネントキャリアとが互いに異なる場合、これはクロスキャリアスケジューリング(ｃｒｏｓｓ ｃａｒｒｉｅｒ ｓｃｈｅｄｕｌｉｎｇ)と呼称される。一方、データ送信用のＤＣＩを搬送するコンポーネントキャリアと、ＤＣＩによって指示される如くスケジュールされたデータを搬送するコンポーネントキャリアとが互いに同一である場合、これはセルフスケジューリング(ｓｅｌｆ ｓｃｈｅｄｕｌｉｎｇ)と呼称される。Ｐｃｅｌｌは、いずれのＳｃｅｌｌによってもクロスキャリアスケジュールされ得ない。Ｓｃｅｌｌは、Ｐｓｅｌｌ又は他のＳｃｅｌｌによってクロスキャリアスケジュールされ得る。
【００８１】
以下では、アップリンクＨＡＲＱ−ＡＣＫ／ＮＡＣＫフィードバックタイミング及びダウンリンクＨＡＲＱ−ＡＣＫ／ＮＡＣＫフィードバックのための提案ソリューションを、それぞれ、上記のシナリオを参照して説明する。概して言えば、ＨＡＲＱタイミングは、Ｐｃｅｌｌ及びＳｃｅｌｌのデュプレックスモード、Ｓｃｅｌｌのスケジューリングモード及び幾つかの予め定義したルールといった要因の１以上に応じて決定される。スケジューリングモードは、セルフスケジューリング及びクロスキャリアスケジューリングから選択される。アップリンクＨＡＲＱフィードバックのために、予め定義したルールは、アップリンクＨＡＲＱフィードバックを搬送するＰＵＣＣＨを、Ｐｃｅｌｌのコンポーネントキャリア上でのみ送信することである。ダウンリンクＨＡＲＱフィードバックのために、予め定義したルールは、ダウンリンクＨＡＲＱフィードバックを搬送するＰＨＩＣＨを、アップリンクグラントを搬送するコンポーネントキャリア上でのみ送信することである。
＜ダウンリンク伝送のためのＨＡＲＱ−ＡＣＫ／ＮＡＣＫタイミング＞
＜シナリオ１＞
【００８２】
ＰｃｅｌｌがＦＤＤとして設定されるシナリオ１のために、Ｐｃｅｌｌは、自身のＰＤＳＣＨ ＨＡＲＱタイミング、すなわち現行のＬＴＥ仕様においてＦＤＤに対し予め定義されるＨＡＲＱタイミングに従うことが可能である。より具体的には、サブフレーム＃ｎにおいて送信されるＨＡＲＱ−ＡＣＫ／ＮＡＣＫタイミングが、サブフレーム＃ｎ−４において受信されるＰＤＳＣＨに関連付けられる。
【００８３】
また、シナリオ１における一のＳｃｅｌｌも、セルフスケジューリング及びクロスキャリアスケジューリングの両者のためにＰｃｅｌｌのＨＡＲＱタイミングに従うことが可能である。すなわち、サブフレーム＃ｎにおいて送信されるＨＡＲＱ−ＡＣＫ／ＮＡＣＫタイミングが、サブフレーム＃ｎ−４において受信されるＰＤＳＣＨに関連付けられる。
【００８４】
図７は、本発明の実施形態に係る、ＰｃｅｌｌがＦＤＤとして設定される場合において用いる物理チャネル同士間のタイミング関係を示している。図７の例において、Ｓｃｅｌｌは、ＴＤＤ ＵＬ−ＤＬ設定＃１で設定される。
【００８５】
図７を参照すると、黒太線は、Ｐｃｅｌｌ ＨＡＲＱタイミング関係、すなわち、サブフレーム＃ｎにおけるアップリンクＨＡＲＱフィードバックが、サブフレーム＃ｎ−４において受信されるＰＤＳＣＨに関連付けられていることを示している。図７において、細実線は、一の実施形態に係る、ＰｃｅｌｌのＨＡＲＱタイミングを参照するＳｃｅｌｌ ＨＡＲＱタイミングを示している。しかしながら、ＴＤＤ ＵＬ−ＤＬ設定＃１で設定されたＳｃｅｌｌは、サブフレーム＃０、＃１、＃４、＃５、＃６及び＃９においてのみダウンリンク送信を受信可能であり、よって、対応アップリンクＨＡＲＱフィードバックは、ＨＡＲＱフィードバックがＰＵＣＣＨ上で搬送される場合、Ｐｃｅｌｌのコンポーネントキャリア上、現在の無線フレームｉのＵＬサブフレーム＃４、＃５、＃８、＃９、並びに次の無線フレームｉ＋１のＵＬサブフレーム＃１及び＃４において送信される。また、図７は、(細点線で示される)自身のＨＡＲＱタイミングを参照するＳｃｅｌｌ ＨＡＲＱタイミング、すなわち、図３を参照して議論したＴＤＤ ＵＬ−ＤＬ設定＃１用のＨＡＲＱタイミングも示している。
【００８６】
２種類のＳｃｅｌｌ用のＨＡＲＱタイミングの比較から、(細点線で示される)提案タイミングは、Ｓｃｅｌｌが(細実線で示される)自身のＨＡＲＱタイミング設定に従うスキームと比して、ＨＡＲＱタイミング遅延を低減可能であると見受けられる。
＜シナリオ２＞
【００８７】
ＰｃｅｌｌがＴＤＤとして設定されるシナリオ２のために、Ｐｃｅｌｌは、自身のＰＤＳＣＨ ＨＡＲＱタイミング、すなわち図３を参照して既に議論した通り、現行のＬＴＥ仕様においてＴＤＤに対し予め定められたＨＡＲＱタイミングに従うことが可能である。
【００８８】
シナリオ２におけるＳｃｅｌｌ(ＦＤＤ−ＣＣ)のために、ＨＡＲＱタイミングは、Ｓｃｅｌｌのスケジューリングモードに更に基づいて決定可能である。
【００８９】
ＳｃｅｌｌがＰｃｅｌｌ又は他のＳｃｅｌｌによりクロスキャリアスケジュールされる場合、Ｓｃｅｌｌは、Ｐｃｅｌｌ(ＴＤＤ−ＣＣ)のＨＡＲＱタイミングを参照可能である。
【００９０】
図８は、本発明の実施形態に係る、ＰｃｅｌｌがＴＤＤとして設定され且つＳｃｅｌｌがクロスキャリアスケジュールされる場合において用いる物理チャネル同士間のタイミング関係を示している。図８の例において、Ｐｃｅｌｌは、ＴＤＤ ＵＬ−ＤＬ設定＃１で設定される。
【００９１】
図８を参照すると、黒太線は、Ｐｃｅｌｌ ＨＡＲＱタイミング関係、すなわち、ＴＤＤ ＵＬ−ＤＬ設定＃１用のアップリンクＨＡＲＱフィードバックタイミングを示している。
【００９２】
図８において、細実線は、一の実施形態に係る、ＰｃｅｌｌのＨＡＲＱタイミングを参照するＳｃｅｌｌ ＨＡＲＱタイミングを示している。しかしながら、ＰｃｅｌｌがＴＤＤ ＵＬ−ＤＬ設定＃１で設定されているため、サブフレーム＃０、＃１、＃４、＃５、＃６及び＃９のみをダウンリンク送信の受信に用いることが可能であり、よって、Ｐｃｅｌｌ(ＴＤＤ−ＣＣ)のアップリンクサブフレームに対応するＳｃｅｌｌ(ＦＤＤ−ＣＣ)のサブフレームは、ダウンリンク送信に用いることが出来ない。例えば、Ｓｃｅｌｌのサブフレーム＃２、＃３、＃７及び＃８は、図８に破線ブロックで示される如く、ダウンリンク送信には利用不可能である。ＰｃｅｌｌのＨＡＲＱタイミングを参照すると、例えば、ＢＳは、ＰＤＳＣＨを、Ｓｃｅｌｌを介しサブフレーム＃０にてＵＥへ送信する。そして、ＴＤＤ ＤＬ−ＵＬ設定＃１用に定義されたタイミング関係によれば、ＵＥは、受信したＰＤＳＣＨに対応するＨＡＲＱ−ＡＣＫ／ＮＡＣＫを、Ｐｃｅｌｌを介しサブフレーム＃７にて送信するであろう。
【００９３】
Ｓｃｅｌがセルフスケジュールされる場合、幾つかのソリューションがＳｃｅｌｌのＨＡＲＱタイミングのために提案されている。
＜ソリューション１＞
【００９４】
第１のソリューションは、ＳｃｅｌｌがＰｃｅｌｌのＨＡＲＱタイミングを参照することである。
【００９５】
図９は、本発明の実施形態に係る、ＰｃｅｌｌがＴＤＤとして設定され且つＳｃｅｌｌ(ＦＤＤ−ＣＣ)がセルフスケジュールされる場合において用いる物理チャネル同士間の第１のタイミング関係例を示している。図９の例において、Ｐｃｅｌｌは、ＴＤＤ ＵＬ−ＤＬ設定＃６で設定される。
【００９６】
図９を参照すると、黒太線は、Ｐｃｅｌｌ ＨＡＲＱタイミング関係、すなわち、図３を参照して議論したＴＤＤ ＵＬ−ＤＬ設定＃６用のアップリンクＨＡＲＱフィードバックタイミングを示している。
【００９７】
図９において、細実線は、第１のソリューションに係る、ＰｃｅｌｌのＨＡＲＱタイミングを参照するＳｃｅｌｌ ＨＡＲＱタイミングを示している。しかしながら、ＰｃｅｌｌがＴＤＤ ＵＬ−ＤＬ設定＃６で設定されているため、サブフレーム＃０、＃１、＃５、＃６及び＃９のみをダウンリンク送信の受信に用いることが可能であり、よって、Ｐｃｅｌｌ(ＴＤＤ−ＣＣ)のアップリンクサブフレームに対応するＳｃｅｌｌ(ＦＤＤ−ＣＣ)のサブフレームは、ダウンリンク送信に用いることが出来ない。例えば、Ｓｃｅｌｌのサブフレーム＃２、＃３、＃４、＃７及び＃８は、図９に破線ブロックで示される如く、ダウンリンク送信には利用不可能である。ＰｃｅｌｌのＨＡＲＱタイミングを参照すると、例えば、ＢＳは、ＰＤＳＣＨを、Ｓｃｅｌｌを介しサブフレーム＃０にてＵＥへ送信する。そして、ＴＤＤ ＤＬ−ＵＬ設定＃６用に定義されたタイミング関係によれば、ＵＥは、受信したＰＤＳＣＨに対応するＨＡＲＱ−ＡＣＫ／ＮＡＣＫを、Ｐｃｅｌｌを介しサブフレーム＃７にて送信するであろう。
【００９８】
第１のソリューションは、既存仕様へのインパクトが僅かである点に利点がある。しかしながら、Ｓｃｅｌｌの幾つかのダウンリンクサブフレームが利用不可であるため、ピークレートが減少するであろう。
＜ソリューション２＞
【００９９】
第２のソリューションは、Ｓｃｅｌｌが、より多くの利用可能なダウンリンクサブフレームを有する一のＴＤＤ ＵＬ−ＤＬ設定のＨＡＲＱタイミングを参照し、そしてＰｃｅｌｌのＴＤＤ ＵＬ−ＤＬ設定を参照することである。
【０１００】
図１０は、本発明の実施形態に係る、ＰｃｅｌｌがＴＤＤとして設定され且つＳｃｅｌｌ(ＦＤＤ−ＣＣ)がセルフスケジュールされる場合において用いる物理チャネル同士間の第２のタイミング関係例を示している。図１０の例において、Ｐｃｅｌｌは、ＴＤＤ ＵＬ−ＤＬ設定＃６で設定される。
【０１０１】
図１０を参照すると、黒太線は、Ｐｃｅｌｌ ＨＡＲＱタイミング関係、すなわち、ＴＤＤ ＵＬ−ＤＬ設定＃６用のアップリンクＨＡＲＱフィードバックタイミングを示している。
【０１０２】
図１０において、細実線は、第２のソリューションに係る、他のＴＤＤ設定(例えば、ＴＤＤ ＵＬ−ＤＬ設定＃３)を参照するＳｃｅｌｌ ＨＡＲＱタイミングを示している。図示の如く、ＴＤＤ ＵＬ−ＤＬ設定＃３はＰｓｅｌｌのＴＤＤ設定＃６よりも多くのダウンリンクサブフレームを有しているため、Ｓｃｅｌｌのより多くのダウンリンクサブフレームを送信に利用可能である。例えば、ＢＳは、ＰＤＳＣＨを、Ｓｃｅｌｌを介しサブフレーム＃７にてＵＥへ送信する。そして、ＴＤＤ ＤＬ−ＵＬ設定＃３用に定義されたタイミング関係によれば、ＵＥは、受信したＰＤＳＣＨに対応するＨＡＲＱ−ＡＣＫ／ＮＡＣＫを、Ｐｃｅｌｌを介し次の無線フレームｉ＋１のサブフレーム＃３にて送信するであろう。第２のソリューションによれば、図１０に破線ブロックで示す如く、Ｓｃｅｌｌの３つのサブフレーム＃２、＃３、＃４がダウンリンク送信に利用不可である。
【０１０３】
比較のため、図１０は、第１のソリューションに係る、Ｐｃｅｌｌ設定を参照するＳｃｅｌｌ ＨＡＲＱタイミングも示している。この場合、Ｓｃｅｌｌのサブフレーム＃２、＃３、＃４、＃７及び＃８がダウンリンク送信に利用不可である。
【０１０４】
よって、第２のソリューションは、既存仕様へのインパクトが僅かである点に利点がある。また、第２のソリューションは、第１のソリューションと比してより多くの利用可能なダウンリンクサブフレームを提供可能であり、以てピークレートがより高い。
【０１０５】
図１１は、第２のソリューションに係る、利用可能なダウンリンクサブフレームの数のためのテーブルを示している。Ｓｃｅｌｌにより参照される設定は、“Ｓｃｅｌｌ ＨＡＲＱタイミング参照設定”と表現され得る。
【０１０６】
図１１のテーブルにおいて、第１行は、Ｐｃｅｌｌ用のＴＤＤ ＵＬ−ＤＬ設定であり、第２行は、Ｓｃｅｌｌ ＨＡＲＱタイミング参照設定のＴＤＤ ＵＬ−ＤＬ設定であり、第３行は、Ｓｃｅｌｌ(ＦＤＤ−ＣＣ)に利用可能なダウンリンクサブフレームの数である。比較を目的として、第４行を、第１のソリューションに係るＳｃｅｌｌに利用可能なダウンリンクサブフレームの数を示すために追記している。
【０１０７】
例えば、ＰｃｅｌｌがＴＤＤ設定＃３で設定される場合、Ｓｃｅｌｌ(ＦＤＤ)は、ＴＤＤ設定＃４又は＃５のＨＡＲＱタイミングを参照可能である。これら２つの設定＃４及び＃５に利用可能なＤＬサブフレームの数は、それぞれ８及び９であり、その各々が、Ｐｃｅｌｌ設定(すなわち、ＴＤＤ設定＃３)を参照する場合において利用可能なＤＬサブフレームの数(７)よりも大きい。
＜ソリューション３＞
【０１０８】
第３のソリューションは、Ｓｃｅｌｌに固有の新たなＨＡＲＱタイミングを定義するものである。
【０１０９】
Ｓｃｅｌｌ(ＦＤＤ)用のＨＡＲＱタイミングの設計は、３つのステップによって行われる。ステップ１において、Ｐｃｅｌｌ(ＴＤＤ)におけるＤＬサブフレームでもある第１のＤＬサブフレームのために、第１のＤＬサブフレームのタイミングは、Ｐｃｅｌｌ用のタイミングと同一である。
【０１１０】
ステップ２において、Ｐｃｅｌｌ(ＴＤＤ)におけるＵＬサブフレームである第２のＤＬサブフレームのために、第２のＤＬサブフレームのタイミングは、第２のＤＬサブフレームに最も近いＰｃｅｌｌのＤＬサブフレームのタイミングと、処理遅延(ｐｒｏｃｅｓｓｉｎｇ ｄｅｌａｙ)との最大値と同一である。すなわち、タイミングは、処理遅延(例えば、４ｍｓ)よりは小さく無い。また、ステップ２の間、フィードバック遅延(ｆｅｅｄｂａｃｋ ｄｅｌａｙ)を考慮しても良い。一見する限り、フィードバック遅延は出来るだけ小さくすべきである。
【０１１１】
オプション的なステップ３において、タイミングは、ＰｃｅｌｌのＵＬサブフレーム同士間でＨＡＲＱフィードバックオーバヘッド(すなわち、ＰＵＣＣＨオーバヘッド)のバランスを取りつつ、ＨＡＲＱフィードバック遅延を最小化するため、ＰｃｅｌｌのＵＬサブフレームの数に応じて更に調整される。よって、ＨＡＲＱ−ＡＣＫ／ＮＡＣＫの送信は、Ｐｃｅｌｌのアップリンクサブフレームにおいて、出来るだけ平等に分配される。
【０１１２】
図１２は、本発明の第３のソリューションに係る、ＰｃｅｌｌがＴＤＤとして設定され且つＳｃｅｌｌ(ＦＤＤ)がセルフスケジュールされる場合におけるＳｃｅｌｌ(ＦＤＤ)のための例示的な設計プロセスを示している。図１２の例において、Ｐｃｅｌｌは、ＴＤＤ ＵＬ−ＤＬ設定＃１で設定されており、ＨＡＲＱタイミング関係は、同図中の実線矢印を介して示されている。Ｐｃｅｌｌの各無線フレームにおいては、４つのＵＬサブフレームが存在し、よって、４つのセットＫ｛７，６｝、｛４｝、｛７，６｝及び｛４｝が存在する。各セットＫは、ＵＬサブフレームに対応している。セットＫ及びその要素ｋは、前述した通り、図３において定義されている。
【０１１３】
第３のソリューションに応じてＳｃｅｌｌ(ＦＤＤ)のための設計を行う場合、ステップ１において、Ｐｃｅｌｌ(ＴＤＤ設定＃１)におけるＤＬサブフレームでもあるサブフレーム＃０、＃１、＃４、＃５、＃６及び＃９(第１タイプのＤＬサブフレーム)のために、これらＤＬサブフレームのタイミングは、Ｐｃｅｌｌ用のタイミングと同一である。よって、４つのセット｛７，６｝、｛４｝、｛７，６｝及び｛４｝が得られる。
【０１１４】
ステップ２において、Ｐｃｅｌｌ(ＴＤＤ)におけるＵＬサブフレームであるサブフレーム＃２、＃３、＃７及び＃８(第２タイプのＤＬサブフレーム)のために、これらＤＬサブフレームのタイミングは、第２のＤＬサブフレームに最も近いＰｃｅｌｌのＤＬサブフレームのタイミングと、処理遅延(この例では、４ｍｓ)との最大値と同一である。例えば、サブフレーム＃２のタイミングは、そのＨＡＲＱ ＡＣＫ／ＮＡＣＫが無線フレームｉのサブフレーム＃７において送信されるだろうサブフレーム＃１のタイミングと同一である。よって、サブフレーム＃２に対応するＨＡＲＱ ＡＣＫ／ＮＡＣＫも、無線フレームｉのサブフレーム＃７において送信されるであろう。このため、サブフレーム＃２のためのｋ値は５である。同様にして、他のサブフレーム＃３、＃７及び＃８のためのタイミングを決定可能である。そして、４つのセットを、｛７，６，５｝、｛５，４｝、｛７，６，５｝及び｛５，４｝として更新可能である。
【０１１５】
オプションとして、設計をステップ３にて更に最適化して、ＰｃｅｌｌのＵＬサブフレーム同士間でＨＡＲＱフィードバックオーバヘッドのバランスを取るようにしても良い。各セットのサイズは、１０／Ｎに近接すべきである。ここで、Ｎは、ＰｃｅｌｌのＵＬサブフレームの数である。図１２の例では、Ｎ＝４である。このため、ステップ３での調整の後、４つのセットは、依然として｛７，６，５｝、｛５，４｝、｛７，６，５｝及び｛５，４｝である。
【０１１６】
最終的に、４つのセット｛７，６，５｝、｛５，４｝、｛７，６，５｝及び｛５，４｝が、ＳｃｅｌｌのＨＡＲＱタイミングに用いられる。
【０１１７】
図１３は、本発明の第３のソリューションに係る、ＰｃｅｌｌがＴＤＤとして設定され且つＳｃｅｌｌ(ＦＤＤ)がセルフスケジュールされる場合におけるＳｃｅｌｌ(ＦＤＤ)のための他の例示的な設計プロセスを示している。図１３の例において、Ｐｃｅｌｌは、ＴＤＤ ＵＬ−ＤＬ設定＃３で設定されており、ＨＡＲＱタイミング関係は、同図中の実線矢印を介して示されている。Ｐｃｅｌｌの各無線フレームにおいては、３つのＵＬサブフレームが存在し、よって、ＵＬサブフレーム＃２、＃３及び＃４にそれぞれ対応する、３つのセットＫ｛１１，７，６｝、｛６，５｝及び｛５，４｝が存在する。
【０１１８】
ステップ１において、サブフレーム＃０、＃１、＃５、＃６、＃７、＃８及び＃９(第１タイプのＤＬサブフレーム)のために、これらＤＬサブフレームのタイミングは、Ｐｃｅｌｌ用のタイミングと同一である。よって、３つのセット｛１１，７，６｝、｛６，５｝及び｛５，４｝が得られる。
【０１１９】
ステップ２において、サブフレーム＃２、＃３及び＃４(第２タイプのＤＬサブフレーム)のために、これらＤＬサブフレームのタイミングは、第２のＤＬサブフレームに最も近いＰｃｅｌｌのＤＬサブフレームのタイミングと、処理遅延(この例では、４ｍｓ)との最大値と同一である。例えば、Ｓｃｅｌｌのサブフレーム＃２に対し最も近いＰｃｅｌｌのＤＬサブフレームは、ＤＬサブフレーム＃１である。よって、サブフレーム＃２用のタイミングは、そのＨＡＲＱ ＡＣＫ／ＮＡＣＫが次の無線フレームｉ＋１のサブフレーム＃２において送信されるだろうサブフレーム＃１のタイミングと同一である。よって、サブフレーム＃２に対応するＨＡＲＱ ＡＣＫ／ＮＡＣＫも、次の無線フレームｉ＋１のサブフレーム＃２において送信されるであろう。このため、サブフレーム＃２のためのｋ値は１０である。同様にして、他のサブフレーム＃３、＃７及び＃８のためのタイミングを決定可能である。そして、３つのセットを、｛１１，１０，９，８，７，６｝、｛６，５｝及び｛５，４｝として更新可能である。
【０１２０】
オプションとして、設計をステップ３にて更に最適化して、ＰｃｅｌｌのＵＬサブフレーム同士間でＨＡＲＱフィードバックオーバヘッドのバランスを取るようにしても良い。この例では、ＰｃｅｌｌのＵＬサブフレームの数はＮ＝３であり、１０／Ｎの丸みは３である。従って、３つのセットは、その各々のサイズが３に近接するように調整されつつ、フィードバック遅延を最小化する。具体的には、図１３の例において、サブフレーム＃８が３番目のセットへ移動され、サブフレーム＃５及び＃６が２番目のセットへ移動される。調整の後、３つのセットは、｛１１，１０，９，８｝、｛８，７，６｝及び｛６，５，４｝として更新される。
【０１２１】
最終的に、３つのセット｛１１，１０，９，８｝、｛８，７，６｝及び｛６，５，４｝が、ＳｃｅｌｌのＨＡＲＱタイミングに用いられる。
【０１２２】
図１４は、本発明の第３のソリューションに係る、ＰｃｅｌｌがＴＤＤとして設定され且つＳｃｅｌｌ(ＦＤＤ)がセルフスケジュールされる場合におけるＳｃｅｌｌ(ＦＤＤ)のためのＰＤＳＣＨ ＨＡＲＱタイミングを示している。
【０１２３】
ＵＥは、ｅＮＢにより送信されたＰＤＳＣＨを(ｎ−ｋ)番目のサブフレームにて受信し、受信したＰＤＳＣＨに対応するアップリンクＨＡＲＱ ＡＣＫ／ＮＡＣＫをｎ番目のサブフレームにて送信する。換言すると、サブフレーム＃ｎにおいて送信されるＨＡＲＱ ＡＣＫ／ＮＡＣＫは、サブフレーム＃ｎ−ｋにおいて送信されるＰＤＳＣＨに関連付けられている。ここで、ｋはセットＫの要素を意味し、Ｋは図１４に示す如く定義される。
【０１２４】
第３のソリューションによれば、新たなＨＡＲＱタイミングが定義されるため、より多くの変更が既存仕様へ導入されるであろう。しかしながら、Ｓｃｅｌｌの全てのＦＤＤ−ＣＣ ＤＬサブフレームを使用可能であるため、高いピークレートを達成出来る。加えて、ＨＡＲＱフィードバック遅延を低く留めることが出来る。
【０１２５】
以上、ＦＤＤ及びＴＤＤのＣＡをサポートするシステムのためのＰＤＳＣＨ ＨＡＲＱタイミングについて議論した。ＢＳにとっては、Ｐｃｅｌｌ及びＳｃｅｌｌの一つを介して、ＤＬ物理チャネル(例えば、ＰＤＳＣＨ)をＵＥへ送信可能である。そして、ＢＳは、ＰｃｅｌｌのＤＬ物理チャネルに対応するＨＡＲＱフィードバックを、Ｐｃｅｌｌに対し予め定めた第１のタイミングで受信可能である。ＢＳは、ＳｃｅｌｌのＤＬ物理チャネルに対応するＨＡＲＱフィードバックを、第２のタイミングで受信可能である。第２のタイミングは、Ｐｃｅｌｌ及びＳｃｅｌｌのデュプレックスモード、Ｓｃｅｌｌのスケジューリングモード、並びに予め定義したルールといった要因の１以上に応じて決定される。予め定義したルールとは、(例えば、ＰＵＣＣＨにより搬送される)ＨＡＲＱフィードバックを、Ｐｃｅｌｌのコンポーネントキャリア上でのみ送信することである。
【０１２６】
ＰｃｅｌｌがＦＤＤとして設定される場合、第２のタイミングは、Ｓｃｅｌｌのセルフスケジューリング及びクロスキャリアスケジューリングの両者のために、第１のタイミングと同一である。
【０１２７】
ＰｃｅｌｌがＴＤＤとして設定される場合、第２のタイミングは、Ｓｃｅｌｌｎｏクロスキャリアスケジューリングのために、第１のタイミングと同一である。
【０１２８】
ＰｃｅｌｌがＴＤＤとして設定され且つＳｃｅｌｌがＦＤＤとして設定される場合、Ｓｃｅｌｌのセルフスケジューリングのために、第２のタイミングは、第１のタイミングと同一である、ＰｃｅｌｌのＴＤＤ設定より多くの利用可能なＤＬサブフレームを有するＴＤＤ設定用の第３のタイミングと同一である、及びＳｃｅｌｌに固有の第４のタイミング、のいずれか一つに応じて決定可能である。
【０１２９】
第４のタイミングは、図１２〜図１４を参照した第３のソリューション(ソリューション３)の説明に従って設計可能である。
【０１３０】
ＵＥにとっては、Ｐｃｅｌｌ及びＳｃｅｌｌの一つを介して、ＢＳからＤＬ物理チャネル(例えば、ＰＤＳＣＨ)を受信可能である。そして、ＵＥは、ＰｃｅｌｌのＤＬ物理チャネルに対応するＨＡＲＱフィードバックを、Ｐｃｅｌｌに対し予め定めた第１のタイミングで送信可能である。ＵＥは、ＳｃｅｌｌのＤＬ物理チャネルに対応するＨＡＲＱフィードバックを、第２のタイミングで送信可能である。
＜アップリンク伝送のためのＨＡＲＱ−ＡＣＫ／ＮＡＣＫタイミング＞
【０１３１】
上述した通り、ＦＤＤ及びＴＤＤのＣＡのシナリオは、スケジューリングモードに応じて分類可能である。キャリアアグリゲーションをサポートするＬＴＥ−Ａシステムにおいては、スケジューリングモードを、セルフスケジューリング及びクロスキャリアスケジューリングから選択可能である。Ｐｃｅｌｌは、いずれのＳｃｅｌｌによってもクロスキャリアスケジュールされ得ない。Ｓｃｅｌｌは、Ｐｓｅｌｌ又は他のＳｃｅｌｌによってクロスキャリアスケジュールされ得る。ダウンリンクＨＡＲＱ ＡＣＫ／ＮＡＣＫフィードバックを搬送するＰＨＩＣＨは、アップリンクグラントを搬送するコンポーネントキャリア(すなわち、ＰＤＣＣＨ)上でのみ送信可能である。このため、以降の説明においては、アップリンク(ＰＵＳＣＨ)スケジューリングに沿ったダウンリンクＨＡＲＱタイミングを、シナリオＡ(セルフスケジューリング)及びシナリオＢ(クロスキャリアスケジューリング)を参照して説明する。
＜シナリオＡ＞
【０１３２】
Ｐｃｅｌｌ及び少なくとも一つのＳｃｅｌｌを備えたサービングセルがセルフスケジュールされるシナリオＡのために、ＦＤＤ又はＴＤＤとして設定されるサービングセルは、それら自身のＰＵＳＣＨスケジューリング及びＨＡＲＱタイミングを参照するのみである。
【０１３３】
図１５は、本発明の実施形態に係る、サービングセルがセルフスケジュールされる場合に用いる物理チャネル同士間のタイミング関係を示している。図１５の例において、ＰｃｅｌｌはＴＤＤ設定＃２で設定され、ＳｃｅｌｌはＦＤＤとして設定される。
【０１３４】
図１５を参照すると、黒太線は、Ｐｃｅｌｌのアップリンクグラントタイミング、すなわち、図５を参照して議論したＴＤＤ ＵＬ−ＤＬ設定＃２用のＰＵＳＣＨスケジュールタイミングを示している。例えば、ＵＥ向けのサブフレーム＃３においてＤＣＩフォーマット０／４を伴うＰＤＣＣＨ／ＥＰＤＣＣＨを検出した際、ＵＥは、現在の無線フレームｉのサブフレーム＃７において対応ＰＵＳＣＨ送信を調整するであろう。ＵＥ向けのサブフレーム＃８においてＤＣＩフォーマット０／４を伴うＰＤＣＣＨ／ＥＰＤＣＣＨを検出した際、ＵＥは、次の無線フレームｉ＋１内のサブフレーム＃２において対応ＰＵＳＣＨ送信を調整するであろう。
【０１３５】
太点線は、Ｓｃｅｌｌのアップリンクグラントタイミングを示している。例えば、ＵＥ向けのサブフレーム＃ｎにおいてＤＣＩフォーマット０／４を伴うＰＤＣＣＨ／ＥＰＤＣＣＨを検出した際、ＵＥは、サブフレーム＃ｎ＋４において対応ＰＵＳＣＨ送信を調整するであろう。
【０１３６】
図１５において、細実線は、一の実施形態に係る、自身のＨＡＲＱタイミングを参照するＰｃｅｌｌのＨＡＲＱタイミングを示している。例えば、ＵＥは、Ｐｃｅｌｌを介し、現在の無線フレームｉのＵＬサブフレーム＃７においてＰＵＳＣＨを送信する。そして、ＵＥは、Ｐｃｅｌｌを介し、次の無線フレームｉ＋１のＤＬサブフレーム＃３において、送信したＰＵＳＣＨに対応するＨＡＲＱフィードバックを受信するであろう。ＵＥが無線フレームｉ＋１のＵＬサブフレーム＃２においてＰＵＳＣＨを送信する場合、ＵＥは、Ｐｃｅｌｌを介し、無線フレームｉ＋１のＤＬサブフレーム＃８において、送信したＰＵＳＣＨに対応するＨＡＲＱフィードバックを受信するであろう。
【０１３７】
細点線は、一の実施形態に係る、自身のＨＡＲＱタイミングを参照するＳｃｅｌｌ(ＦＤＤ)のＨＡＲＱタイミングを示している。例えば、ＵＥは、ＵＬサブフレーム＃ｎにおいてＰＵＳＣＨを送信し、そしてＤＬサブフレーム＃ｎ＋４において、送信したＰＵＳＣＨに対応するＨＡＲＱフィードバックを受信するであろう。
＜シナリオＢ＞
【０１３８】
サービングセルがクロスキャリアスケジュールされるシナリオＢのためには、２つのケースが在る。ケース１は、ＦＤＤ−ＣＣセルがＴＤＤ−ＣＣセルをスケジュールするものであり、ケース２は、ＴＤＤ−ＣＣセルがＦＤＤ−ＣＣセルをスケジュールするものである。以下では、“スケジューリングセル(ｓｃｈｅｄｕｌｉｎｇ ｃｅｌｌ)”及び“スケジュールされたセル(ｓｃｈｅｄｕｌｅｄ ｃｅｌｌ)”との文言が導入される。クロスキャリアスケジューリングにおいて、そのコンポーネントキャリアがデータ伝送用のＤＣＩを搬送するセルは、スケジューリングセルであり、そのコンポーネントキャリアがＤＣＩに示される如くスケジュールされたデータを搬送するセルは、スケジュールされたセルである。
【０１３９】
(Ｐｃｅｌｌ又はＳｃｅｌｌに関わらず)スケジューリングセルは、自身のスケジューリング及びＨＡＲＱタイミングを参照するだけである。
【０１４０】
スケジュールされたセルに対しては、これが属するケースに応じて異なるソリューションが採用され得る。
【０１４１】
スケジュールされたセルがＴＤＤとして設定され且つＦＤＤ−ＣＣセルによってスケジュールされるケース１において、スケジュールされたセルは、自身のスケジューリング及びＨＡＲＱタイミングを参照するだけである。スケジューリングセル(ＦＤＤ)が常時、任意の特定期間においてＤＬサブフレームを有しているため、スケジューリングセルのＤＬサブフレームは、スケジュールされたセルにより、スケジューリングセルを介してスケジュールされたＰＵＳＣＨ送信に対応するＨＡＲＱ ＡＣＫ／ＮＡＣＫフィードバックのために使用可能である。
【０１４２】
スケジュールされたセルがＦＤＤとして設定され且つＴＤＤ−ＣＣセルによってスケジュールされるケース２のために、スケジューリング情報(例えば、アップリンクグラント)を搬送するＰＤＣＣＨ／ＥＰＤＣＣＨが、スケジューリングセル(ＴＤＤ−ＣＣ)のコンポーネントキャリアを介して送信され、スケジュールされたＰＵＳＣＨ送信に対応するＨＡＲＱ ＡＣＫ／ＮＡＣＫを搬送するＰＨＩＣＨも、スケジューリングセル(ＴＤＤ−ＣＣ)のコンポーネントキャリアを介して送信されるべきである。しかしながら、ＵＬ−ＤＬ設定に因っては、スケジューリングのＵＬサブフレームをＨＡＲＱフィードバックに用いることが出来ない。スケジュールされたセルのため、スケジューリングタイミング及びＨＡＲＱタイミングを定義する２つのソリューションが在る。
＜ソリューションＡ＞
【０１４３】
ソリューションＡは、スケジュールされたセル(Ｓｃｅｌｌ)が、スケジューリングセル(ＴＤＤ−ＣＣ)のスケジューリングタイミング及びＨＡＲＱタイミングを参照するものである。
【０１４４】
“ダウンリンク伝送のためのＨＡＲＱ−ＡＣＫ／ＮＡＣＫタイミング”の章で議論したソリューション１と同様に、ソリューションＡは、既存仕様へのインパクトが僅かである点に利点がある。しかしながら、Ｓｃｅｌｌの幾つかのアップリンクサブフレームが利用不可であるため、ピークレートが減少するであろう。
＜ソリューションＢ＞
【０１４５】
ソリューションＢは、スケジュールされたセルが、自身のアップリンクサブフレームをより多く使用可能な一のＴＤＤ ＵＬ−ＤＬ設定のスケジューリングタイミング及びＨＡＲＱタイミングを参照するものである。“ダウンリンク伝送のためのＨＡＲＱ−ＡＣＫ／ＮＡＣＫタイミング”の章で議論したソリューション２と同様に、ソリューションＢも、既存仕様へのインパクトが僅かである点に利点がある。また、ソリューションＢは、ソリューションＡと比してより多くの利用可能なアップリンクサブフレームを提供可能であり、以てピークレートがより高い。
【０１４６】
図１６は、ソリューションＢに係る、利用可能なアップリンクサブフレームの数のためのテーブルを示している。スケジュールされたセルにより参照される設定は、“ソリューションＢの参照設定”と表現され得る。
【０１４７】
図１１のテーブルにおいて、第１列は、スケジューリングセル用のＴＤＤ ＵＬ−ＤＬ設定であり、第２列は、スケジュールされたセルの参照設定のＴＤＤ ＵＬ−ＤＬ設定である。比較を目的として、第３列を、ソリューションＡに係るスケジュールされたセルに利用可能なアップリンクサブフレームの数を示すために追記している。第２列において、括弧書きの値は、対応ＴＤＤ ＵＬ−ＤＬ設定がスケジュールされたセルにより参照された場合において利用可能なＵＬサブフレームの数である。
【０１４８】
例えば、スケジューリングセルがＴＤＤ設定＃３で設定される場合、スケジュールされたセル(ＦＤＤ)は、ＴＤＤ設定＃０又は＃６のスケジュールタイミング及びＨＡＲＱタイミングを参照可能である。２つの設定＃０及び＃０に利用可能なＵＬサブフレームの数はそれぞれ６及び５であり、その各々が、スケジューリングセルの設定(すなわち、ＴＤＤ設定＃３)を参照した場合において利用可能なＵＬサブフレームの数(３)より大きい。
【０１４９】
スケジュールされたセル(ＦＤＤ−ＣＣ)がＴＤＤ設定＃０のスケジューリング及びＨＡＲＱタイミングを参照する場合、ＰＤＣＣＨ ＤＣＩフォーマット０及び４が、ＴＤＤ設定＃０に従って送信されるであろう。同時に、ＵＬインデックスフィールドが、一のダウンリンクサブフレームにおいて２つのアップリンクサブフレームをスケジュールするために必要である。
【０１５０】
一見する限り、更なるソリューションをスケジュールされたセルのために提供可能である。例えば、ソリューション３に関し“ダウンリンク伝送のためのＨＡＲＱ−ＡＣＫ／ＮＡＣＫタイミング”の章で議論した設計ルールを参照して、新たなスケジューリングタイミング及びＨＡＲＱタイミングを、スケジュールされたセルのために設計しても良い。
【０１５１】
以上、ＦＤＤ及びＴＤＤのＣＡをサポートするシステムのためのＰＵＳＣＨスケジューリング及びＰＵＳＣＨ ＨＡＲＱタイミングについて議論した。ＢＳにとっては、Ｐｃｅｌｌ及びＳｃｅｌｌの一つを介して、ＵＬ物理チャネル(例えば、ＰＵＳＣＨ)をＵＥから受信可能である。そして、ＢＳは、ＰｃｅｌｌのＵＬ物理チャネルに対応するＨＡＲＱフィードバックを、Ｐｃｅｌｌに対し予め定めた第１のタイミングで受信可能である。ＢＳは、ＳｃｅｌｌのＵＬ物理チャネルに対応するＨＡＲＱフィードバックを、第２のタイミングで受信可能である。第２のタイミングは、Ｐｃｅｌｌ及びＳｃｅｌｌのデュプレックスモード、Ｓｃｅｌｌのスケジューリングモード、並びに予め定義したルールといった要因の１以上に応じて決定される。予め定義したルールとは、(例えば、ＰＨＩＣＨにより搬送される)ＨＡＲＱフィードバックを、ＰＵＳＣＨをスケジューリングするアップリンクグラントを搬送するコンポーネントキャリア上でのみ送信することである。
【０１５２】
セルフスケジューリングのために、第２のタイミングは、Ｓｃｅｌｌに対し予め定めたタイミングと同一である。
【０１５３】
クロスキャリアスケジューリングのために、第２のタイミングは、スケジューリングセル及びスケジュールされたセルのデュプレックスモードに応じて更に決定される。
【０１５４】
Ｓｃｅｌｌがスケジューリングセルである場合、第２のタイミングは、Ｓｃｅｌｌに対し予め定めたタイミングと同一である。
【０１５５】
ＳｃｅｌｌがＴＤＤとして設定されるスケジュールされたセルであり且つＦＤＤコンポーネントキャリアセルによってスケジュールされる場合、第２のタイミングは、Ｓｃｅｌｌに対し予め定めたタイミングと同一である。
【０１５６】
ＳｃｅｌｌがＦＤＤとして設定されるスケジュールされたセルであり且つＴＤＤコンポーネントキャリアセルによってスケジュールされる場合、第２のタイミングは、スケジューリングセルのタイミングと同一である、及び可能な限りＳｃｅｌｌのアップリンクサブフレームを利用出来るＴＤＤ設定用の第３のタイミングと同一である、のいずれか一つに応じて決定可能である。
【０１５７】
ＵＥにとっては、Ｐｃｅｌｌ及びＳｃｅｌｌの一つを介して、ＢＳへＵＬ物理チャネル(例えば、ＰＵＳＣＨ)を送信可能である。そして、ＵＥは、ＰｃｅｌｌのＵＬ物理チャネルに対応するＨＡＲＱフィードバックを、Ｐｃｅｌｌに対し予め定めた第１のタイミングで受信可能である。ＵＥは、ＳｃｅｌｌのＵＬ物理チャネルに対応するＨＡＲＱフィードバックを、第２のタイミングで受信可能である。第２のタイミングは、上述したソリューションに応じて決定される。
【０１５８】
図１７は、本発明の実施形態の実施に用いるのに適したエンティティ１７００の簡略化されたブロック図を示している。エンティティ１７００は、例えば基地局といったネットワーク側のエンティティであっても良く、或いは例えばＵＥといったユーザ側のエンティティであっても良い。
【０１５９】
図１７に示すように、エンティティ１７００は、ＤＰ(ｄａｔａ ｐｒｏｃｅｓｓｏｒ) １７０１と、ＭＥＭ(ｍｅｍｏｒｙ) １７０２と、ＤＰ １７０１にカップリングされた適切なＲＦ送信機ＴＸ及び受信機ＲＸ １７０４と、を含む。ＭＥＭ １７０２は、ＰＲＯＧ(ｐｒｏｇｒａｍ) １７０３を記憶する。ＴＸ／ＲＸ １７０４は、双方向無線通信のためのものである。なお、ＴＸ／ＲＸ １７０４は、通信を手助けする少なくとも一つのアンテナを有する。但し、実際にはＢＳ又はＵＥは幾つかのアンテナを有し得る。エンティティ１７００は、データパスを介して、例えばインターネットなどの外部ネットワーク又はシステムへカップリングされる。
【０１６０】
ＰＲＯＧ １７０３は、関連ＤＰ １７０１により実行されると、エンティティ１７００を本発明の実施形態に従って動作可能にするプログラム指示を含むものとする。
【０１６１】
本発明の実施形態は、エンティティ１７００のＤＰ １７０１により実行可能なコンピュータソフトウェア、若しくはハードウェア、又はソフトウェアとハードウェアの組み合わせによって実施しても良い。
【０１６２】
ＭＥＭ １７０２は、ローカル技術環境に適した任意のタイプのものであって良く、限定されない例として、半導体ベースのメモリデバイス、磁気メモリデバイス及びシステム、光学メモリデバイス及びシステム、固定メモリやリムーバブルメモリ等の任意のデータ記憶技術を用いて実装しても良い。エンティティ１７００においては、一つのＭＥＭのみが示されているが、幾つかの物理的に区別されるメモリユニットが存在しても良い。ＤＰ １７０１は、ローカル技術環境に適した任意のタイプのものであって良く、限定されない例として、汎用コンピュータ、特殊用途のコンピュータ、マイクロプロセッサ、ＤＳＰ(ｄｉｇｉｔａｌ ｓｉｇｎａｌ ｐｒｏｃｅｓｓｏｒｓ)及びマルチコアプロセッサアーキテクチャに基づくプロセッサの１以上を含んでいても良い。エンティティ１７００は、例えば、メインプロセッサを同期させるクロックに合わせて動作するアプリケーション特有の集積回路チップ等の複数のプロセッサを有していても良い。
【０１６３】
以上、本発明の実施形態を、方法、装置(すなわち、システム)のブロック図及びフローチャート図を参照して説明した。当然のことながら、ブロック図及びフローチャート図の各ブロック、並びにブロック図及びフローチャート図中のブロックの組合せは、それぞれ、コンピュータプログラム指示を含む種々の手段によって実装可能である。これらコンピュータプログラム指示は、汎用コンピュータ、特殊用途のコンピュータ又はマシンを作る他のプログラム可能なデータ処理装置へロードし、以てコンピュータ又は他のプログラム可能なデータ処理装置上で実行する指示が、フローチャートブロック又はブロック群で規定される機能を実施する手段を形成しても良い。
【０１６４】
前述のコンピュータプログラム指示は、例えばサブルーチン及び／又は関数であり得る。発明の一実施形態におけるコンピュータプログラムプロダクトは、前述のコンピュータプログラム指示が記憶された少なくとも一つのコンピュータ可読記憶媒体を備える。コンピュータ可読記憶媒体は、例えば光学ＣＤ、又はＲＡＭ(ｒａｎｄｏｍ ａｃｃｅｓｓ ｍｅｍｏｒｙ)若しくはＲＯＭ(ｒｅａｄ ｏｎｌｙ ｍｅｍｏｒｙ)といった電子メモリデバイスであり得る。
【０１６５】
本明細書には多くの特定の実施細部が含まれるが、これらは、実施又は特許請求の範囲に記載されるものの範囲に対する制限を構成するものでは無く、むしろ、特定の実施の特定の実施形態に固有であり得る特徴の説明を構成すべきものである。本明細書中、独立した実施形態のコンテキストにおいて説明される或る特徴は、単独の実施形態において組み合わせて実施することも可能である。反対に、単独の実施形態のコンテキストにおいて説明される各種特徴は、複数の実施形態において個別に、或いは適切なサブコンビネーションにおいて実施することも可能である。また、これら特徴を或る実施形態群において作用するものとして上述し且つ初期的にはそのように特許請求の範囲に記載したが、特許請求の範囲に記載される組合せから１以上の特徴を幾つかのケースにおいては組合せから削除することも可能であり、特許請求の範囲に記載される組合せをサブコンビネーション又はその変形の対象としても良い。
【０１６６】
なお、上述した実施形態は、発明を制限するというより寧ろ説明のために与えられるものであって、当然のことながら、改良及び変更を、当業者が容易に理解する通りに、発明の精神と範囲を逸脱すること無く施しても良い。このような改良及び変更は、発明の範囲及び添付の特許請求の範囲内であると見做される。発明の保護範囲は、添付の特許請求の範囲によって定義される。加えて、特許請求の範囲における参照数字は、特許請求の範囲に対する制限として解釈すべきで無い。“備える(ｃｏｍｐｒｉｓｅ)”との動詞の使用及びその活用は、特許請求の範囲に記述されるもの以外の構成要素又はステップの存在を排除するものでは無い。構成要素又はステップに先立つ不定冠詞“ａ”又は“ａｎ”は、複数の構成要素又はステップの存在を排除するものでは無い。
【図１】
2020099081.tif 000003
【図２】
2020099081.tif 000004
【図３】
2020099081.tif 000005
【図４】
2020099081.tif 000006
【図５】
2020099081.tif 000007
【図６Ａ】
2020099081.tif 000008
【図６Ｂ】
2020099081.tif 000009
【図７】
2020099081.tif 000010
【図８】
2020099081.tif 000011
【図９】
2020099081.tif 000012
【図１０】
2020099081.tif 000013
【図１１】
2020099081.tif 000014
【図１２】
2020099081.tif 000015
【図１３】
2020099081.tif 000016
【図１４】
2020099081.tif 000017
【図１５】
2020099081.tif 000018
【図１６】
2020099081.tif 000019
【図１７】
2020099081.tif 000020